【誤訳訂正書】
【提出日】平成27年7月28日(2015.7.28)
【誤訳訂正１】
【訂正対象書類名】明細書
【訂正対象項目名】全文
【訂正方法】変更
【訂正の内容】
【発明の詳細な説明】
【発明の名称】データ伝送方法及び装置
【技術分野】
【０００１】
本発明は、通信技術分野に関し、特に、データ伝送方法及び装置に関する。
【背景技術】
【０００２】
ＬＴＥ−Ａ（ＬＴＥ  Ａｄｖａｎｃｅｄ：先進的な長期発展型）システムのピーク速度は、ＬＴＥ（Ｌｏｎｇ  Ｔｅｒｍ  Ｅｖｏｌｕｔｉｏｎ：長期発展型）より大幅に向上し、ダウンリンク１Ｇｂｐｓ、アップリンク５００Ｍｂｐｓに達するように要求される。同時に、ＬＴＥ−Ａシステムは、ＬＴＥシステムと良好な互換性を有するように要求される。ピーク速度の向上、ＬＴＥシステムとの互換及びスペクトル資源の十分な利用の需要に基づいて、ＬＴＥ−ＡシステムにＣＡ（Ｃａｒｒｉｅｒ  Ａｇｇｒｅｇａｔｉｏｎ：キャリアアグリゲーション）技術が導入されている。
【０００３】
キャリアアグリゲーション技術は、ユーザ装置が複数のセルに同時に動作することができることであって、１つのセルに１ペアのＵＬ（アップリンク）／ＤＬ（ダウンリンク）ＣＣ（Ｃｏｍｐｏｎｅｎｔ  Ｃａｒｒｉｅｒ：コンポーネントキャリア）が含まれ、ＬＴＥシステム及びこの前の無線通信システムに１つだけのキャリア方式が１つだけではない。キャリアアグリゲーションシステムに各コンポーネントキャリアは、連続的なものであってよく、非連続的なものであってもよく、各コンポーネントキャリア間の帯域幅は、同じでも異なっていてもよく、ＬＴＥシステムとの互換を維持するために、各コンポーネントキャリアの最大帯域幅は、２０ＭＨｚに制限される。現在、一般的にＵＥ（Ｕｓｅｒ  Ｅｑｕｉｐｍｅｎｔ：ユーザ装置）でアグリゲイション可能なセルは、最大５個である。その他、ＬＴＥ−システムは、キャリアがアグリゲイションされたセルを以下の２種類のセルに分類する。
【０００４】
ＰＣｅｌｌ（Ｐｒｉｍａｒｙ  Ｃｅｌｌ：プライマリーセル）：ＵＥによりアグリゲイションされたセルには、ＰＣｅｌｌとして定義されるセルは、一つだけである。
ＳＣｅｌｌ（Ｓｅｃｏｎｄａｙ  Ｃｅｌｌ：セカンダリセル）：ＵＥによりアグリゲイションされた、ＰＣｅｌｌ以外のセルは、ＳＣｅｌｌと呼ばれる。
【０００５】
ＰＣｅｌｌは、基地局によって選択されてＲＲＣ（Ｒａｄｉｏ  Ｒｅｓｏｕｒｃｅ  Ｃｏｎｔｒｏｌ：無線リソース制御）シグナリングによりユーザ装置に配置され、異なるユーザ装置のＰＣｅｌｌは、異なってもよい。ＰＣｅｌｌかＳＣｅｌｌに関わらず、各セルは、独立したＨＡＲＱ（Ｈｙｂｒｉｄ−ＡＲＱ：ハイブリッド自動再送要求）エンティティを有し、独立した一連のプロセスを維持する。
【０００６】
ＬＴＥシステムには、電力を節約するためにＤＲＸ（Ｄｉｓｃｏｎｔｉｎｕｏｕｓ  Ｒｅｃｅｐｔｉｏｎ：不連続受信）機構が導入される。ＤＲＸ機構においてタイマーによりＵＥのＰＤＣＣＨ（Ｐｈｙｓｉｃａｌ  Ｄｏｗｎｌｉｎｋ  Ｃｏｎｔｒｏｌ  Ｃｈａｎｎｅｌ：物理ダウンリンク制御チャネル）に対する監視を制御する。関連タイマーは、次の通りである。
【０００７】
Ｏｎ  Ｄｕｒａｔｉｏｎ  Ｔｉｍｅｒ（持続時間タイマー）：ＵＥは、定期的にウェイクアップして、制御チャネルの時間を監視する。当該タイマーの長さは、ＲＲＣシグナリングにより配置され、ＰＤＣＣＨサブフレームを単位（ｐｓｆ）として、最小値がｐｓｆ１で、最大値がｐｓｆ２００である。ＰＤＣＣＨサブフレームとは、ダウンリンクにＰＤＣＣＨ制御チャネルがあるサブフレームである。
【０００８】
Ｄｒｘ  Ｓｈｏｒｔ  Ｃｙｃｌｅ  Ｔｉｍｅｒ（不連続受信短周期タイマー）：より良くデータサービスが到達する特徴に適合するために、ＬＴＥシステムは、ｌｏｎｇ  ｃｙｃｌｅ（長周期）とｓｈｏｒｔ  ｃｙｃｌｅ（短周期）の２種類のＤＲＸ  ｃｙｃｌｅ（不連続受信周期）を配置されることを許可する。２種類のｃｙｃｌｅのＯｎ  Ｄｕｒａｔｉｏｎ  Ｔｉｍｅｒは、同じであるが、ｓｌｅｅｐ（休眠）の時間が異なる。ｓｈｏｒｔ  ｃｙｃｌｅでは、ｓｌｅｅｐ時間が比較的短いので、ＵＥは、より速くチャンネルを再度監視することができる。Ｌｏｎｇ  ｃｙｃｌｅは、配置されなければならなく、且つＤＲＸプロセスの開始状態である。ｓｈｏｒｔ  ｃｙｃｌｅは、選択可能である。Ｄｒｘ  Ｓｈｏｒｔ  Ｃｙｃｌｅ  Ｔｉｍｅｒにｓｈｏｒｔ  ｃｙｃｌｅで持続する時間が設定されるので、Ｄｒｘ  Ｓｈｏｒｔ  Ｃｙｃｌｅ  Ｔｉｍｅｒは、タイムアウトになった後、ＵＥは、Ｌｏｎｇ  ｃｙｃｌｅを使用する。Ｄｒｘ  Ｓｈｏｒｔ  Ｃｙｃｌｅ  Ｔｉｍｅｒは、ＲＲＣシグナリングにより配置され、長さ単位がｓｈｏｒｔ  ｃｙｃｌｅの個数であり、その値が１〜１６である。
【０００９】
Ｄｒｘ−Ｉｎａｃｔｉｖｉｔｙ  Ｔｉｍｅｒ（不連続受信−非アクティブタイマー）：ＤＲＸが配置された後、ＵＥが制御チャネルへの監視を許可する時間（Ａｃｔｉｖｅ  Ｔｉｍｅ）内にＨＡＲＱ初期伝送の制御シグナリングを受信した場合、当該タイマーを起動し、当該タイマーがタイムアウトになる前に、ＵＥは、制御チャネルを連続して監視する。Ｄｒｘ−Ｉｎａｃｔｉｖｉｔｙ  Ｔｉｍｅｒがタイムアウトになる前に、ＵＥがＨＡＲＱ初期伝送の制御シグナリングを受信した場合、Ｄｒｘ−Ｉｎａｃｔｉｖｉｔｙ  Ｔｉｍｅｒを終止して再起動する。当該ｔｉｍｅｒの長さは、ＲＲＣシグナリングにより配置され、ＰＤＣＣＨサブフレームを単位（ｐｓｆ）として、最小値がｐｓｆ１であり、最大値がｐｓｆ２５６０である。
【００１０】
ＨＡＲＱ  ＲＴＴ  Ｔｉｍｅｒ（ハイブリッド自動再送要求往復タイマー）：ダウンリンク（Ｄｏｗｎ  Ｌｉｎｋ：ＤＬ）のみに適用するので、ＵＥが次回の再送前に制御チャネルを監視しない可能性があって、より良い節電効果を達成する。ＵＥは、ＨＡＲＱ伝送（初期伝送又は再送）のスケジューリングシグナリングを受信した場合、このタイマーを起動する。対応するＨＡＲＱプロセス中のデータが前回のＨＡＲＱ伝送後に成功に復号化されない場合、ＵＥは、ＮＡＣＫ（非確認）情報をフィードバックし、ＨＡＲＱ  ＲＴＴ  Ｔｉｍｅｒがタイムアウトになった後に、ＵＥは、Ｄｒｘ−Ｒｅｔｒａｎｓｍｉｓｓｉｏｎ  Ｔｉｍｅｒを起動する。対応するＨＡＲＱプロセス中のデータが前回のＨＡＲＱ伝送後に成功に復号化された場合、ＵＥは、ＡＣＫ（確認）情報をフィードバックし、ＨＡＲＱ  ＲＴＴ  Ｔｉｍｅｒがタイムアウトになった後に、ＵＥは、Ｄｒｘ−Ｒｅｔｒａｎｓｍｉｓｓｉｏｎ  Ｔｉｍｅｒを起動しない。現在ＨＡＲＱ  ＲＴＴ  Ｔｉｍｅｒだけが動作する場合、ＵＥは、制御チャネルを監視しない。
【００１１】
Ｄｒｘ−Ｒｅｔｒａｎｓｍｉｓｓｉｏｎ  Ｔｉｍｅｒ（不連続受信−再送タイマー）：ＤＬのみに適用する。Ｄｒｘ−Ｒｅｔｒａｎｓｍｉｓｓｉｏｎ  Ｔｉｍｅｒが動作する期間に、ＵＥは、制御シグナリングを監視し、対応するＨＡＲＱプロセスの再送スケジューリングを待つ。当該タイマーの長さは、ＲＲＣにより配置され、ＰＤＣＣＨサブフレームを単位（ｐｓｆ）とし、最小値がｐｓｆ１であり、最大値がｐｓｆ３３である。
【００１２】
上述したように、前記ＤＲＸに関連するｔｉｍｅｒでは、ｏｎ  Ｄｕｒａｔｉｏｎ  Ｔｉｍｅｒ、ｄｒｘ−Ｉｎａｃｔｉｖｉｔｙ  Ｔｉｍｅｒ及びｄｒｘ−Ｒｅｔｒａｎｓｍｉｓｓｉｏｎ  Ｔｉｍｅｒの長さは、ＰＤＣＣＨサブフレームの個数に基づいてカウントされる。ＴＤＤに対して、ＰＤＣＣＨサブフレームとは、ダウンリンクサブフレームであり、特殊サブフレーム中のＤｗＰＴＳ（Ｄｏｗｎｌｉｎｋ  Ｐｉｌｏｔ  Ｔｉｍｅ  Ｓｌｏｔ：ダウンリンクパイロットスロット）を含む。
【００１３】
ＬＴＥ−Ａシステムは、ＬＴＥシステムのＤＲＸ機構をそのまま使用するが、ＬＴＥ−Ａシステムがキャリアアグリゲーション技術を用いるので、マルチキャリアの下でどのようにＤＲＸを使用するかに対して、現在、共通（ｃｏｍｍｏｎ）ＤＲＸ機構を使用し、即ち全てのｃｅｌｌのアクティブ時間（Ａｃｔｉｖｅ  Ｔｉｍｅ）が同じである。
【００１４】
以下、従来技術におけるＬＴＥシステムとＬＴＥ−Ａシステムのランダムアクセス方法を説明する。
ＬＴＥシステムのランダムアクセス目的は、主にＲＲＣ接続の確立またはアップリンク同期に用いられる。現在、競争ランダムアクセスと非競争ランダムアクセスの２種類のランダムアクセス方式をサポートする。
【００１５】
非競争ランダムアクセスプロセスは、次の図１に示すように、主に３つのステップに分ける。
【００１６】
Ｍｓｇ０：ｅＮＢ（Ｅｖｏｌｖｅｄ  Ｎｏｄｅ  Ｂ：発展型基地局）は、ＵＥに非競争ランダムアクセスのための専用ランダムアクセスプリアンブル（Ｒａｎｄｏｍ  Ａｃｃｅｓｓ  Ｐｒｅａｍｂｌｅ，ｒａ−Ｐｒｅａｍｂｌｅ  Ｉｎｄｅｘ）及びランダムアクセスのためのＰＲＡＣＨ（Ｐｈｙｓｉｃａｌ  Ｒａｎｄｏｍ  Ａｃｃｅｓｓ  Ｃｈａｎｎｅｌ：物理ランダムアクセスチャネル）ＰＲＡＣＨマスクインデックス（ＰＲＡＣＨ  Ｍａｓｋ  Ｉｎｄｅｘ，ｒａ−ＰＲＡＣＨ−Ｍａｓｋ  Ｉｎｄｅｘ）を割り当てて、ダウンリンクデータの到達に起因する非競争ランダムアクセスに対してＰＤＣＣＨコマンド（ＰＤＣＣＨ  ｏｒｄｅｒ）を用いてこれらの情報を携帯し、ハンドオーバコマンドに起因する非競争ランダムアクセスに対してハンドオーバ命令（ｈａｎｄｏｖｅｒ  ｃｏｍｍａｎｄ）でこれらの情報を携帯する。
【００１７】
Ｍｓｇ１：ＵＥは、Ｍｓｇ０に示されるｒａ−Ｐｒｅａｍｂｌｅ  Ｉｎｄｅｘとｒａ−ＰＲＡＣＨ−Ｍａｓｋ  Ｉｎｄｅｘに基づいて、指定されたＰＲＡＣＨリソース上で指定された専用ｐｒｅａｍｂｌｅ（プリアンブル）を基地局に送信する。基地局は、Ｍｓｇ１を受信した後にＭｓｇ１に基づいてアップリンクタイミングアドバンス量を計算する。
【００１８】
Ｍｓｇ２：基地局は、タイミングアドバンス量情報が含まれるランダムアクセス応答をＵＥに送信し、後のアップリンク伝送のタイミングアドバンス量をＵＥに通知する。
【００１９】
競争ランダムアクセスプロセスは、図２に示すように、主に４つのステップに分ける。
【００２０】
Ｍｓｇ１：ＵＥは、ランダムアクセスｐｒｅａｍｂｌｅとＰＲＡＣＨリソースを選択し、そして当該ＰＲＡＣＨリソースを用いて選択されたランダムアクセスｐｒｅａｍｂｌｅを基地局に送信する。
【００２１】
Ｍｓｇ２：基地局は、ｐｒｅａｍｂｌｅを受信して、タイミングアドバンス量ＴＡを計算し、そして当該タイミングアドバンス量とＭｓｇ３に対するアップリンクスケジューリング許可（ＵＬ  ｇｒａｎｔ）が少なくとも含まれるランダムアクセス応答を、ＵＥに送信する。
【００２２】
Ｍｓｇ３：ＵＥは、Ｍｓｇ２に指定されたＵＬ  ｇｒａｎｔでアップリンク伝送を送信し、異なるランダムアクセス原因によって、Ｍｓｇ３のアップリンク伝送内容が異なり、例えば、初期アクセスに対して、Ｍｓｇ３伝送は、ＲＲＣ接続確立要求である。
【００２３】
Ｍｓｇ４：競争解決メッセージに対して、ＵＥは、Ｍｓｇ４に基づいて、ランダムアクセスが成功するかどうかを判断することができる。
【００２４】
ＬＴＥ−Ａシステムにキャリアアグリゲーション技術が導入され、Ｒ１０版においてマルチＴＡ（Ｍｕｌｔｉ−ＴＡ）をサポートしなく、即ちＵＥによりアグリゲイションされたすべてのセルにＰＣｅｌｌと同じアップリンクタイミングアドバンス量を用いるので、Ｒ１０においてランダムアクセスは、ＰＣｅｌｌのみに発生する。Ｒ１０版と異なって、ＬＴＥ―Ａ  Ｒ１１版においてマルチＴＡをサポートし、即ちＵＥによりアグリゲイションされたセルに異なるアップリンクタイミングアドバンス量を用いる。マルチＴＡの維持を容易にするために、アップリンクタイミングアドバンス量グループ（ＴＡ  ｇｒｏｕｐ：ＴＡＧ）の概念が導入され、１つのＴＡＧ内ですべてのセルに同じアップリンクタイミングアドバンス量を用い、ここでＰＣｅｌｌが含まれるＴＡＧがＰＴＡＧと呼ばれ、ＳＣｅｌｌだけが含まれるＴＡＧがＳＴＡＧと呼ばれる。各ＴＡＧに対して、そのアップリンクタイミングアドバンス量は、ランダムアクセスプロセスにより取得される必要がある。ＰＴＡＧに対して、アップリンクタイミングアドバンス量は、競争又は非競争ランダムアクセスにより取得されることができ、ＳＴＡＧに対して、アップリンクタイミングアドバンス量は、一般的に非競争ランダムアクセスにより取得される。
【００２５】
ＬＴＥシステムにおけるＬ２測定：
ＬＴＥシステムでは、負荷分散又はＯＡＭ（Ｏｐｒｅａｔｉｏｎ  ａｎｄ  Ｍａｎａｇｅｍｅｎｔ  Ｓｙｓｔｅｍ：操作保守システム）がネットワークに対して性能監視を行う目的から、一連の層２Ｌ２測定量がプロトコルに定義され、ＰＲＢ（Ｐｈｙｓｉｃａｌ  Ｒｅｓｏｕｒｃｅ  Ｂｌｏｃｋ：物理リソースブロック）の利用率、アクティブなＵＥの数、パケット遅延、パケット損失率、スケジューリングスループットなどを含み、基地局は、これらの測定量を取得した後に測定結果をＯＡＭに報告し、ＯＡＭがネットワーク性能を把握して、ネットワーク構成を調整して最適化することを実現することが可能となる。ここで、物理リソースブロックＰＲＢ利用率の測定は、２種類に分ける。
【００２６】
合計の物理リソースブロックＰＲＢ利用率（Ｔｏｔａｌ  ＰＲＢ  ｕｓａｇｅ）：アップリンク（Ｕｐ−Ｌｉｎｋ：ＵＬ）とＤＬをそれぞれカウントし、即ち伝送のためのアップリンク又はダウンリンク（ＵＬ／ＤＬ）のＰＲＢ総数とＵＬ／ＤＬの利用可能なＰＲＢ総数の比となる。
【００２７】
各トラフィッククラスのＰＲＢ利用率（ＰＲＢ  ｕｓａｇｅ  ｐｅｒ  ｔｒａｆｆｉｃ  ｃｌａｓｓ）：ＱＣＩ（Ｑｕａｌｉｔｙ  ｏｆ  ｓｅｒｖｉｃｅ  Ｃｌａｓｓ  Ｉｄｅｎｔｉｆｉｅｒ：サービス品質識別子）に従って、ＵＬとＤＬをそれぞれカウントし、即ち伝送のためのＵＬ／ＤＬの各ＱＣＩレベルのＤＴＣＨ（Ｄｅｄｉｃａｔｅｄ  Ｔｒａｎｓｐｏｒｔ  Ｃｈａｎｎｅｌ：専用伝送チャネル）に占められるＰＲＢ総数とＵＬ／ＤＬの利用可能なＰＲＢ総数の比となる。
【００２８】
ＴＤＤ（Ｔｉｍｅ  Ｄｉｖｉｓｉｏｎ  Ｄｕｐｌｅｘ：時分割複信）アップリンク／ダウンリンク構成（ＵＬ／ＤＬ構成）：
【００２９】
Ｒ８、Ｒ９又はＲ１０では、物理層基準においてＴＤＤシステムに対して次のような７種類のＵＬ／ＤＬ構成を定義し、次の表に示すように、ここでＤがＤＬサブフレームを表し、ＵがＵＬサブフレームを表し、ＳがＴＤＤシステムの特殊サブフレームを表す。
【００３０】
【表１】
2015503290.tif 000001
【００３１】
Ｒ１１システムでは、ＬＴＥ−ＡのＣＡユーザ装置は、他のシステム、例えばＬＴＥシステムと同じ又は隣接するバンドを共有又は用いることができ、図３に示すように、ＬＴＥ−Ａのユーザ装置は、Ｃｅｌｌ１、Ｃｅｌｌ２とＣｅｌｌ３の３つのセルをアグリゲイションする。ここで、Ｃｅｌｌ１とＣｅｌｌ２に同じバンド（Ｂａｎｄ１）を用いるが、Ｃｅｌｌ３にＢａｎｄ２を用いる。ＴＤＤシステムのアップリンク／ダウンリンク交差干渉を避けるために、Ｂａｎｄ１は、３Ｇ／ＬＴＥ  ＴＤＤ  Ｂａｎｄ  Ａと共存可能なＴＤＤ  ＵＬ／ＤＬ構成を用いるべきであり、共存可能なＴＤＤ構成とは、ＵＬ／ＤＬ交差干渉がない構成であり、ＬＴＥシステムに対して、同じＴＤＤ  ＵＬ／ＤＬ構成である。Ｂａｎｄ２は、３Ｇ／ＬＴＥ  ＴＤＤ  ＢａｎｄＢと共存可能なＴＤＤ  ＵＬ／ＤＬ構成を用いるべきである。Ｂａｎｄ  ＡとＢａｎｄ  Ｂに用いられるＴＤＤ  ＵＬ／ＤＬ構成が異なると、Ｂａｎｄ１とＢａｎｄ２に用いられるＴＤＤ  ＵＬ／ＤＬ構成も異なる。
【００３２】
キャリアアグリゲーションシステムに対して、ユーザ装置によりアグリゲイションされた複数のセルが異なるＴＤＤ  ＵＬ／ＤＬ構成を有する場合、図４に示すサブフレーム＃３、＃４及びサブフレーム＃８とサブフレーム＃９のようなアップリンク／ダウンリンク衝突サブフレームが生成される。現在、アップリンク／ダウンリンク衝突サブフレームに対する処理は、従来技術に明確な規定されない。
【先行技術文献】
【特許文献】
【００３３】
【特許文献１】中国特許出願公開第１０２５２３６２７号明細書
【発明の概要】
【発明が解決しようとする課題】
【００３４】
本発明の実施形態は、ユーザ装置によりアグリゲイションされた複数のセルが異なるＴＤＤ  ＵＬ／ＤＬ構成を有する場合のデータ伝送処理スキームを改善するように、データ伝送方法及び装置を提供する。
【課題を解決するための手段】
【００３５】
本発明の実施形態に係るデータ伝送方法は、ユーザ装置によりアグリゲイションされた複数のセルの時分割複信アップリンク／ダウンリンク構成が異なり、且つアップリンク／ダウンリンク衝突サブフレームにおいて一方向のデータ伝送のみを許可する場合、ＵＥは、アップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なるステップと、ＵＥは、アグリゲイションされた各セルのアップリンクデータ伝送方向に用いられる利用可能サブフレームとダウンリンクデータ伝送方向に用いられる利用可能サブフレームをそれぞれ確定し、ここで、前記許可されるデータ伝送方向と逆のデータ伝送方向でカウントされた利用可能サブフレームに、前記アップリンク／ダウンリンク衝突サブフレームが含まれないステップと、ＵＥは、利用可能サブフレームにおいてデータ伝送を行うステップとを含む。
【００３６】
本発明の実施形態に係るデータ伝送方法は、ユーザ装置ＵＥによりアグリゲイションされた複数のセルの時分割複信アップリンク／ダウンリンク構成が異なり、且つアップリンク／ダウンリンク衝突サブフレームにおいて一方向のデータ伝送のみを許可する場合、基地局は、アップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なるステップと、基地局は、ＵＥによりアグリゲイションされた各セルのアップリンクデータ伝送方向に用いられる利用可能サブフレームとダウンリンクデータ伝送方向に用いられる利用可能サブフレームをそれぞれ確定し、ここで、前記許可されるデータ伝送方向と逆のデータ伝送方向でカウントされた利用可能サブフレームに、前記アップリンク／ダウンリンク衝突サブフレームが含まれないステップと、基地局は、利用可能サブフレームにおいてデータ伝送を行うステップとを含む。
【００３７】
本発明の実施形態に係るデータ伝送装置は、ユーザ装置によりアグリゲイションされた複数のセルの時分割複信アップリンク／ダウンリンク構成が異なり、且つアップリンク／ダウンリンク衝突サブフレームにおいて一方向のデータ伝送のみを許可する場合、ＵＥがアップリンク／ダウンリンク衝突サブフレームの許可されるデータ伝送方向を確定することに用いられ、ここで、ＵＥによりアグリゲイションされた複数のセルの時分割複信アップリンク／ダウンリンク構成において、同一のアップリンク／ダウンリンク衝突サブフレームのデータ伝送方向が異なるデータ伝送方向確定ユニットと、ＵＥによりアグリゲイションされた各セルのアップリンクデータ伝送方向に用いられる利用可能サブフレームとダウンリンクデータ伝送方向に用いられる利用可能サブフレームをそれぞれ確定することに用いられ、ここで、前記許可されるデータ伝送方向と逆のデータ伝送方向でカウントされた利用可能サブフレームに、前記アップリンク／ダウンリンク衝突サブフレームが含まれない利用可能サブフレーム確定ユニットと、利用可能サブフレームにおいてデータ伝送を行うことに用いられる伝送ユニットとを備える。
【００３８】
本発明の実施形態に係るデータ伝送装置は、ユーザ装置ＵＥによりアグリゲイションされた複数のセルの時分割複信アップリンク／ダウンリンク構成が異なり、且つアップリンク／ダウンリンク衝突サブフレームにおいて一方向のデータ伝送のみを許可する場合、基地局がアップリンク／ダウンリンク衝突サブフレームの許可されるデータ伝送方向を確定することに用いられ、ここで、ＵＥによりアグリゲイションされた複数のセルの時分割複信アップリンク／ダウンリンク構成において、同一のアップリンク／ダウンリンク衝突サブフレームのデータ伝送方向が異なるデータ伝送方向確定ユニットと、ＵＥによりアグリゲイションされた各セルのアップリンクデータ伝送方向に用いられる利用可能サブフレームとダウンリンクデータ伝送方向に用いられる利用可能サブフレームをそれぞれ確定することに用いられ、ここで、前記許可されるデータ伝送方向と逆のデータ伝送方向でカウントされた利用可能サブフレームに、前記アップリンク／ダウンリンク衝突サブフレームが含まれない利用可能サブフレーム確定ユニットと、利用可能サブフレームにおいてデータ伝送を行うことに用いられる伝送ユニットとを備える。
【００３９】
本発明の実施形態では、ユーザ装置によりアグリゲイションされた複数のセルの時分割複信アップリンク／ダウンリンク構成が異なり、且つアップリンク／ダウンリンク衝突サブフレームにおいて一方向のデータ伝送のみを許可する場合、ＵＥがアップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なり、ＵＥがアグリゲイションされた各セルのアップリンクデータ伝送方向に用いられる利用可能サブフレームとダウンリンクデータ伝送方向に用いられる利用可能サブフレームをそれぞれ確定し、ここで、前記許可されるデータ伝送方向と逆のデータ伝送方向でカウントされた利用可能サブフレームに、前記アップリンク／ダウンリンク衝突サブフレームが含まれなく、ＵＥが利用可能サブフレームにおいてデータ伝送を行うことにより、ユーザ装置によりアグリゲイションされた複数のセルが異なるＴＤＤ  ＵＬ／ＤＬ構成を有する場合のデータ伝送処理スキームを改善し、様々なプロセスにおけるアップリンク／ダウンリンク衝突サブフレームに対する処理方式を明確にする。
【図面の簡単な説明】
【００４０】
【図１】非競争ランダムアクセスプロセスを示す図である。
【図２】競争ランダムアクセスプロセスを示す図である。
【図３】ＬＴＥ−Ａ  ＣＡユーザ装置によりアグリゲイションされた異なるバンドに異なるアップリンク／ダウンリンク構成を用いることを示す図である。
【図４】複数のＴＤＤ構成アップリンク／下リリンク衝突サブフレームを示す図である。
【図５】本発明の実施形態に係るデータ伝送方法のフローチャートである。
【図６】本発明の実施形態に係るＵＥによりアグリゲイションされた複数のセルに異なるＴＤＤアップリンク／ダウンリンク構成を用いることを示す図である。
【図７】本発明の実施形態に係るデータ伝送装置の構造を示す図である。
【図８】本発明の実施形態に係るデータ伝送装置の構造を示す図である。
【発明を実施するための形態】
【００４１】
本発明は、ユーザ装置によりアグリゲイションされた複数のセルが異なるＴＤＤ  ＵＬ／ＤＬ構成を有する場合のデータ伝送処理スキームを改善するように、データ伝送方法及び装置を提供する。
【００４２】
本発明の実施形態では、ユーザ装置によりアグリゲイションされた複数のセルの時分割複信アップリンク／ダウンリンク構成が異なる場合、ＵＥによりアグリゲイションされた複数のセルの時分割複信アップリンク／ダウンリンク構成において、同一のアップリンク／ダウンリンク衝突サブフレームのデータ伝送方向が異なる。
【００４３】
本発明の実施形態では、アップリンク／ダウンリンク衝突サブフレーム内において上りリンクアップリンクデータとダウンリンクデータの伝送を同時に行うことができなく、一方向のデータ伝送のみを行うことができ、例えば、ダウンリンクデータまたはアップリンクデータのみを伝送することができる。
【００４４】
キャリアアグリゲーションシステムに対して、１つのユーザ装置によりアグリゲイションされた複数のセルに異なるＴＤＤ  ＵＬ／ＤＬ構成を配置することを許可する。１つのサブフレーム内にユーザ装置によりアグリゲイションされた異なるセルのサブフレーム伝送方向が異なる場合、当該サブフレームは、アップリンク／ダウンリンク衝突サブフレームと呼ばれることができる。アップリンク／ダウンリンク衝突サブフレームに対して、一方向の伝送のみを許可する。これに基づいて、本発明の実施形態は、利用可能サブフレームを確定する場合において上りリンクアップリンク／ダウンリンク衝突サブフレームに対する処理方法を与えて、さらにユーザ装置によりアグリゲイションされた複数のセルが異なるＴＤＤ  ＵＬ／ＤＬ構成を有する場合のデータ伝送処理スキームを改善する。
【００４５】
本発明の実施形態では、ユーザ装置によりアグリゲイションされた複数のセルが異なるＴＤＤ  ＵＬ／ＤＬ構成を有する場合、且つ異なるセルのＵＬ／ＤＬ構成のアップリンク／ダウンリンク衝突サブフレームにおいて一方向のデータ伝送を許可する場合、アップリンク／ダウンリンク衝突サブフレームの許可されるデータ伝送方向を確定し、許可されるデータ伝送方向と逆の方向の利用可能サブフレームを確定する時に、当該アップリンク／ダウンリンク衝突サブフレームを考慮しない。
【００４６】
例えば、アップリンク／ダウンリンク衝突サブフレームにＵＬデータ伝送のみを許可する場合、アップリンク／ダウンリンク衝突サブフレームがＵＬであるセルに対して、当該アップリンク／ダウンリンク衝突サブフレームに正常なＵＬデータ伝送を行うことができるが、アップリンク／ダウンリンク衝突サブフレームがＤＬであるセルに対して、当該アップリンク／ダウンリンク衝突サブフレームにいかなる伝送を許可しなく、ＤＬ利用可能サブフレームをカウントする場合にも、当該アップリンク／ダウンリンク衝突サブフレームを考慮しない。
【００４７】
ＵＥ側では、図５を参照すると、本発明の実施形態に係るデータ伝送方法は、ＵＥによりアグリゲイションされた複数のセルの時分割複信アップリンク／ダウンリンク構成が異なり、且つアップリンク／ダウンリンク衝突サブフレームにおいて一方向のデータ伝送を許可する場合、ＵＥがアップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なるステップＳ１０１と、ＵＥがアグリゲイションされた各セルのアップリンクデータ伝送方向に用いられる利用可能サブフレームとダウンリンクデータ伝送方向の利用可能サブフレームをそれぞれ確定し、ここで、前記許可されるデータ伝送方向と逆のデータ伝送方向でカウントされた利用可能なサブフレームに前記アップリンク／ダウンリンク衝突サブフレームが含まれないステップＳ１０２と、ＵＥが利用可能サブフレームにおいてデータ伝送を行うステップＳ１０３とを含む。
【００４８】
好ましくは、前記利用可能サブフレームがダウンリンク物理制御チャネル（ＰＤＣＣＨ）サブフレームである場合、前記ＵＥは、アグリゲイションされた各セルの利用可能サブフレームが、当該セル内の、ＰＤＣＣＨ又はＲ−ＰＤＣＣＨ（専用物理ダウンリンク制御チャネル）又はＥ−ＰＤＣＣＨ（ 拡張型物理ダウンリンク制御チャネル）が含まれるすべてのダウンリンクサブフレーム又はダウンリンクパイロットスロットサブフレーム、又は、当該セル内の、ＰＤＣＣＨ又はＲ−ＰＤＣＣＨ又はＥ−ＰＤＣＣＨが含まれるすべての非衝突サブフレーム、及びダウンリンク伝送を行うことができ且つＰＤＣＣＨ又はＲ−ＰＤＣＣＨ又はＲ−ＰＤＣＣＨ又はＥ−ＰＤＣＣＨを含むアップリンク衝突サブフレームを含むことを確定する。
【００４９】
好ましくは、ＰＤＣＣＨサブフレームを長さカウント単位とするＤＲＸタイマーの動作時間をカウントする場合、以下の方式の一つを用いる。
【００５０】
方式一：ＵＥによりアグリゲイションされたすべてのセルのアップリンク／ダウンリンク衝突サブフレームが含まれないＰＤＣＣＨサブフレームの和集合と交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【００５１】
方式二：ＵＥ  ＰＣｅｌｌ上の、アップリンク／ダウンリンク衝突サブフレームが含まれないＰＤＣＣＨサブフレームに従ってカウントする、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【００５２】
方式三：ＰＤＣＣＨサブフレームが最も多い又は最も少ないセル上の、アップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【００５３】
好ましくは、ＤＲＸタイマーが不連続受信−再送タイマーである場合、ＰＤＣＣＨサブフレームをカウントする方式は、さらに方式四を含む。
【００５４】
方式四：再送をトリガするセル上の、アップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【００５５】
好ましくは、前記利用可能サブフレームが非競争ランダムアクセスプロセス中のＭｓｇ１の利用可能サブフレームである場合、次の２つの条件を満たす、利用可能な物理ランダムアクセスチャネルリソースがある１つ目のアップリンクサブフレームをＭｓｇ１の利用可能サブフレームとする。
【００５６】
条件一：サブフレーム番号は、ｎ＋ｋ2である。
ここで、ｎは、ＵＥがＰＤＣＣＨコマンドを受信したサブフレーム番号を表し、ｋ2は、プリセット変数であり、且つｋ2≧６。
【００５７】
条件二：ランダムアクセスプリアンブルを送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００５８】
好ましくは、前記利用可能サブフレームが競争ランダムアクセスプロセス中のＭｓｇ３の利用可能サブフレームである場合、アップリンク遅延ＵＬ  ｄｅｌａｙドメインが０であれば、次の２つの条件を満たす１つ目のアップリンクサブフレームをＭｓｇ３の利用可能サブフレームとする。
【００５９】
条件一：サブフレーム番号は、ｎ＋ｋ1である。
ここで、ｎは、ＵＥがランダムアクセス応答を受信したサブフレーム番号を表し、ｋ1は、プリセット変数であり、且つｋ1≧６。
【００６０】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００６１】
好ましくは、前記利用可能サブフレームが競争ランダムアクセスプロセス中のＭｓｇ３の利用可能サブフレームである場合、アップリンク遅延ＵＬ  ｄｅｌａｙドメインが１であれば、次の２つの条件を満たす２つ目のアップリンクサブフレームをＭｓｇ３の利用可能サブフレームとする。
【００６２】
条件一：サブフレーム番号は、ｎ＋ｋ1である。
ここで、ｎは、ＵＥがランダムアクセス応答を受信したサブフレーム番号を表し、ｋ1はプリセット変数であり、ｋ1≧６。
【００６３】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００６４】
好ましくは、当該方法は、ＵＥが、当該ＵＥがアップリンク／ダウンリンク衝突サブフレームにおいて上りリンクアップリンクデータとダウンリンクデータ伝送を同時することをサポートするかどうかの能力情報を能力報告情報により基地局に通知するステップをさらに含む。
【００６５】
好ましくは、当該方法は、ＵＥは、自身の能力又は基地局のシグナリング指示によって、本発明の実施形態に係る方法を用いてデータ伝送を行う必要があることを確定するステップをさらに含む。
【００６６】
ネットワーク側では、本発明の実施形態に係るデータ伝送方法は、ＵＥによりアグリゲイションされた複数のセルの時分割複信アップリンク／ダウンリンク構成が異なり、且つアップリンク／ダウンリンク衝突サブフレームにおいて一方向のデータ伝送のみを許可する場合、基地局がアップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なるステップと、基地局がＵＥによりアグリゲイションされた各セルのアップリンクデータ伝送方向に用いられる利用可能サブフレームとダウンリンクデータ伝送方向に用いられる利用可能サブフレームをそれぞれ確定し、ここで、前記許可されるデータ伝送方向と逆のデータ伝送方向でカウントされた利用可能サブフレームに、前記アップリンク／ダウンリンク衝突サブフレームが含まれないステップと、基地局が利用可能サブフレームにおいてデータ伝送を行うステップとを含む。
【００６７】
好ましくは、前記利用可能サブフレームがＰＤＣＣＨサブフレームである場合、前記基地局は、ＵＥによりアグリゲイションされた各セルの利用可能サブフレームが、当該セルのＰＤＣＣＨ又はＲＮ  Ｒ−ＰＤＣＣＨ又は拡張型物理下り制御チャネルＥ−ＰＤＣＣＨが含まれるすべてのダウンリンクサブフレーム又はダウンリンクパイロットタイムスロットサブフレーム、又は、当該セル内のＰＤＣＣＨ又はＲ−ＰＤＣＣＨ又はＥ−ＰＤＣＣＨが含まれるすべての非衝突サブフレーム、及びダウンリンク伝送を行うことができ且つＰＤＣＣＨ又はＲ−ＰＤＣＣＨ又はＥ−ＰＤＣＣＨを含むアップリンク／ダウンリンク衝突サブフレームを含むことを確定する。
【００６８】
好ましくは、ＰＤＣＣＨサブフレームを長さ単位とするＤＲＸタイマーの動作時間をカウントする場合、次の方式の一つを用いる。
【００６９】
方式一：ＵＥによりアグリゲイションされたすべてのセルのアップリンク／ダウンリンク衝突サブフレームが含まれないＰＤＣＣＨサブフレームの和集合又は交差集合に従ってカウントし、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームをカウントする。
【００７０】
方式二：ＵＥ  プライマリセルＰＣｅｌｌ上の、アップリンク／ダウンリンク衝突サブフレームが含まれないＰＤＣＣＨサブフレームに従ってカウントする、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【００７１】
方式三：ＰＤＣＣＨサブフレームが最も多い又は最も少ないセル上の、アップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【００７２】
好ましくは、ＤＲＸタイマーが不連続受信−再送タイマーである場合、ＰＤＣＣＨサブフレームをカウントする方式は、方式四をさらに含む。
【００７３】
方式四：再送をトリガするセル上のアップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【００７４】
好ましくは、前記利用可能サブフレームが非競争ランダムアクセスプロセス中のＭｓｇ１の利用可能サブフレームである場合、基地局は、次の２つの条件を満たす、利用可能なパケットランダムアクセスチャネルリソースがある１つ目のアップリンクサブフレームをＭｓｇ１の利用可能サブフレームとする。
【００７５】
条件一：サブフレーム番号は、ｎ＋ｋ2である。
ここで、ｎは、ＵＥがＰＤＣＣＨコマンドを受信したサブフレーム番号を表し、ｋ2は、プリセット変数であり、且つｋ2≧６。
【００７６】
条件二：ランダムアクセスプリアンブルを送信するセルに、非アップリンク／ダウンリンク衝突サブフレームである上りサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００７７】
好ましくは、前記利用可能サブフレームが競争ランダムアクセスアクセスプロセス中のＭｓｇ３の利用可能サブフレームである場合、アップリンク遅延（ＵＬ  ｄｅｌａｙ）ドメインが０であれば、基地局は、次の２つの条件を満たす１つ目のアップリンクサブフレームをＭｓｇ３の利用可能サブフレームとする。
【００７８】
条件一：サブフレーム番号は、ｎ＋ｋ1である。
ここで、ｎは、ＵＥがランダムアクセス応答を受信したサブフレーム番号を表し、ｋ1は、プリセット変数であり、且つｋ1≧６。
【００７９】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００８０】
好ましくは、前記利用可能サブフレームが競争ランダムアクセスプロセス中のＭｓｇ３の利用可能サブフレームである場合、アップリンク遅延ドメインが１であれば、基地局は、次の２つの条件を満たす２つ目のアップリンクサブフレームをＭｓｇ３の利用可能サブフレームとする。
【００８１】
条件一：サブフレーム番号は、ｎ＋ｋ1である。
ｎは、ＵＥがランダムアクセス応答を受信したサブフレーム番号を表し、ｋ1は、プリセット変数であり、且つｋ1≧６。
【００８２】
条件二：Ｍｓｇ３を送信するセルに、非アップリンク／ダウンリンク衝突サブフレームであるアップリンクサブフレーム、又はアップリンク／ダウンリンク衝突サブフレームであるが当該セルにおいて当該アップリンク／ダウンリンク衝突サブフレームがアップリンク伝送を行うことができるサブフレームである。
【００８３】
好ましくは、基地局は、合計のＰＲＢ利用率と各トラフィッククラスのＰＲＢ利用率を測定する必要がある場合、次の方式の一つを用いて時間Ｔ内のすべての利用可能なＰＲＢを確定する。
【００８４】
方式一：時間Ｔ内のすべてのセルに出現する伝送方向がカウントされた伝送方向と同じであるサブフレームに含まれるＰＲＢの個数の和をカウントし、ここでアップリンク／ダウンリンク衝突サブフレームに含まれるＰＲＢを含めない。
【００８５】
方式二：時間Ｔ内のすべてのセルに出現する伝送方向がカウントされた伝送方向と同じであるサブフレームに含まれるＰＲＢの個数の和をカウントし、ここで確定されたアップリンク／ダウンリンク衝突サブフレームの許可されるデータ伝送方向がカウントされた伝送方向と同じである場合、当該ＰＲＢの個数は、カウントされた伝送方向にデータ伝送を行うことができるセルの当該アップリンク／ダウンリンク衝突サブフレーム内での対応するＰＲＢの個数を含む。
【００８６】
好ましくは、当該方法は、基地局がＵＥから報告されたＵＥの能力によって、本発明の実施形態に係る方法を用いてデータ伝送を行う必要があることを確定するステップを含む。
【００８７】
好ましくは、当該方法は、基地局がＵＥの能力又は予め設定されたルールによって、ＵＥがアップリンク／ダウンリンク衝突サブフレームに並列伝送を行うことを許可する必要があるかどうかを判断し、そして判断結果をシグナリング（例えばＲＲＣ、ＭＡＣ又はＰＤＣＣＨシグナリング）によりＵＥに通知するステップをさらに含む。
【００８８】
つまり、本発明の実施形態に係る技術的解決策は、具体的に、ＰＤＣＣＨサブフレームの個数を長さカウント単位するＤＲＸタイマー（ｏｎ  Ｄｕｒａｔｉｏｎ  Ｔｉｍｅｒ、ｄｒｘ−Ｒｅｔｒａｎｓｍｉｓｓｉｏｎ  Ｔｉｍｅｒ、ｄｒｘ−Ｉｎａｃｔｉｖｉｔｙ  Ｔｉｍｅｒを含む）の動作時間をカウントする場合、アップリンク／ダウンリンク衝突サブフレームを考慮しなくてもよく、又はアップリンク／ダウンリンク衝突サブフレームがダウンリンクデータ伝送に用いられる場合のみに、これらのアップリンク／ダウンリンク衝突サブフレームを考慮する。
【００８９】
アップリンク／ダウンリンク衝突サブフレームがダウンリンクデータ伝送のみを行うことができると判定する場合、ランダムアクセスプロセス中のＭｓｇ１とＭｓｇ３を送信するためのアップリンクサブフレームを確定する時に、アップリンク／ダウンリンク衝突サブフレームが利用できないと考える。
【００９０】
非競争ランダムアクセスプロセス中のＭｓｇ１：
ユーザ装置がサブフレームｎに非競争ランダムアクセスプロセス中のＭｓｇ０を受信した場合、ユーザ装置は、次の２つの条件を満たす、利用可能なＰＲＡＣＨリソースがある１つ目のアップリンクサブフレームに非競争ランダムアクセスプロセス中のＭｓｇ１を送信する必要がある。
【００９１】
条件一：サブフレーム番号は、ｎ＋ｋ2 （ｋ2 ≧６）を満たす必要がある。
条件二：ランダムアクセスプリアンブルを送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００９２】
競争ランダムアクセスプロセス中のＭｓｇ３：
ユーザ装置がサブフレームｎに競争ランダムアクセスプロセス中のＭｓｇ２を受信した場合、アップリンク遅延ドメインが０に設定されると、ユーザ装置は、次の２つの条件を満たす１つ目のアップリンクサブフレームにＭｓｇ３を送信する必要がある。
【００９３】
条件一：サブフレーム番号は、ｎ＋ｋ1 （ｋ1 ≧６）を満たす。
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【００９４】
しかし、ＵＬ  ｄｅｌａｙドメインが１に設定されると、ユーザ装置は、次の２つの条件を満たす２つ目のアップリンクサブフレームに送信する必要がある。
【００９５】
条件一：サブフレーム番号は、ｎ＋ｋ1 （ｋ1 ≧６）を満たす。
条件二：Ｍｓｇ３を送信するセルにおいて当該アップリンクサブフレームは、非アップリンク／ダウンリンク衝突サブフレームである又はアップリンク／ダウンリンク衝突サブフレームであるが当該セルにおいて上りリンクアップリンク伝送を行うことができる。
基地局がＬ２の合計の物理リソースブロック利用率（Ｔｏｔａｌ  ＰＲＢ  ｕｓａｇｅ）と各トラフィッククラスのＰＲＢ利用率（ＰＲＢ  ｕｓａｇｅ  ｐｅｒ  ｔｒａｆｆｉｃ  ｃｌａｓｓ）を測定する場合、アップリンク／ダウンリンク衝突サブフレームがある方向伝送のみに用いられると、これと逆の方向の全ての利用可能なＰＲＢをカウントする時に、処理方式は、２種類であってもよい。
【００９６】
方式一：アップリンク／ダウンリンク衝突サブフレームを完全にカウントしない。
方式二：時間Ｔ内のすべてのセルに出現する伝送方向がカウントされた伝送方向と同じであるサブフレームに含まれるＰＲＢの個数の和をカウントし、ここで確定されたアップリンク／ダウンリンク衝突サブフレームの許可されるデータ伝送方向がカウントされた伝送方向と同じである場合、当該ＰＲＢの個数は、カウントされた伝送方向にデータ伝送を行うことができるセルの当該アップリンク／ダウンリンク衝突サブフレームでの対応するＰＲＢの個数を含む。
【００９７】
システムでのＵＥの能力が異なるので、一部のＵＥがアップリンク／ダウンリンク衝突サブフレームにデータを同時に送受信することをサポートし、一部のＵＥがアップリンク／ダウンリンク衝突サブフレームにデータを同時に送受信することをサポートしない可能性があり、本発明の実施形態に係るアップリンク／ダウンリンク衝突サブフレーム処理方式を用いるかどうかは、２つの判断方法があってもよいと説明すべきである。
【００９８】
ＵＥは、自身の能力によって、本発明の実施形態に係るアップリンク／ダウンリンク衝突サブフレーム処理方式を用いるかどうかを確定し、基地局は、ＵＥから報告されたＵＥの能力によって、本発明の実施形態に係るアップリンク／ダウンリンク衝突サブフレーム処理方式を用いるかどうかを確定し、基地局とユーザ装置は、一貫した理解を維持する必要がある。
【００９９】
ＵＥは、基地局のシグナリング指示によって、本発明の実施形態に係るアップリンク／ダウンリンク衝突サブフレーム処理方式を用いるかどうかを確定し、シグナリングに対してＲＲＣシグナリング、ＭＡＣシグナリング又はＰＤＣＣＨシグナリングを用いることができる。
【０１００】
以下、具体的な実施形態についての説明を与える。
本発明の実施形態において、ユーザ装置がＣｅｌｌ１とＣｅｌｌ２の２つのセルをアグリゲイションしたと仮定し、ここでＣｅｌｌ２がＰＣｅｌｌであり、両者が異なるＴＡＧに属する。Ｃｅｌｌ１とＣｅｌｌ２は、それぞれＴＤＤ構成＃０とＴＤＤ構成＃２を用い、図６に示すように、上記の仮定に基づいて、本発明の実施形態は、次の通りである。
【０１０１】
実施形態一：利用可能サブフレームは、ダウンリンク物理制御チャネル（ＰＤＣＣＨ）サブフレームである。ここで、ＰＤＣＣＨサブフレームは、ＤＬサブフレーム又はＤｗＰＴｓサブフレームであり、且つＰＤＣＣＨ又はＥ−ＰＤＣＣＨ又はＲ−ＰＤＣＣＨを含む。
ｏｎＤｕｒａｔｉｏｎ  ｔｉｍｅｒ、ｄｒｘ−Ｉｎａｃｔｉｖｉｔｙ  Ｔｉｍｅｒ、ｄｒｘ−Ｒｅｔｒａｎｓｍｉｓｓｉｏｎ  Ｔｉｍｅｒに対して、その長さカウントは、次のような方式があってもよい。
【０１０２】
方式一：ＵＥによりアグリゲイションされたすべてのｃｅｌｌのＰＤＣＣＨサブフレームの和集合又は交差集合に従ってカウントし、アップリンク／ダウンリンク衝突サブフレームを完全に考慮しない、又は、アップリンク／ダウンリンク衝突サブフレームがＤＬデータ伝送に用いられると、当該サブフレームは、ＰＤＣＣＨサブフレームとしてカウントされてもよい。
【０１０３】
ＵＥによりアグリゲイションされたすべてのｃｅｌｌのＰＤＣＣＨサブフレームの和集合を例にすると、まず各セル上のＰＤＣＣＨサブフレームを確定する必要がある。アップリンク／ダウンリンク衝突サブフレームを完全に考慮しないと、各セル上のＰＤＣＣＨサブフレームは、当該セル上のＰＤＣＣＨ又はＲ−ＰＤＣＣＨ又はＥ−ＰＤＣＣＨが含まれるダウンリンクサブフレーム又はＤｗＰＴＳサブフレームである。上記の原則に従って、実施形態において各セルに対応するＰＤＣＣＨは、いずれもサブフレーム｛＃０、＃１、＃５、＃６｝であり、即ちＰＤＣＣＨサブフレームの和集合は、依然としてサブフレーム｛＃０、＃１、＃５、＃６｝である。アップリンク／ダウンリンク衝突サブフレームを考慮すると、当該セルのアップリンク／ダウンリンク衝突サブフレームが当該セルにダウンリンクデータ伝送に用いられることができ且つＰＤＣＣＨ又はＥ−ＰＤＣＣＨ又はＲ−ＰＤＣＣＨを含む場合のみに、ＰＤＣＣＨサブフレームとする。すべての衝突サブフレームがダウンリンクデータ伝送に用いられると仮定すると、上記の原則に従って、セル１に対して、ＰＤＣＣＨサブフレームは、サブフレーム｛＃０、＃１、＃５、＃６｝を含み、セル２に対して、ＰＤＣＣＨサブフレームは、サブフレーム｛＃０、＃１、＃３、＃４、＃５、＃６、＃８、＃９｝を含み、即ちＰＤＣＣＨサブフレームの交差集合は、｛＃０、＃１、＃３、＃４、＃５、＃６、＃８、＃９｝である。
【０１０４】
方式二：ＵＥ  ＰＣｅｌｌ上のＰＤＣＣＨサブフレームに従ってカウントし、アップリンク／ダウンリンク衝突サブフレームを完全に考慮しない、又は、アップリンク／ダウンリンク衝突サブフレームがＰＣｅｌｌにＤＬ伝送を行うことができると、当該サブフレームは、ＰＤＣＣＨサブフレームとしてカウントされてもよい。
【０１０５】
ＰＤＣＣＨサブフレームのカウントがアップリンク／ダウンリンク衝突サブフレームを完全に考慮しないと仮定すると、実施形態において対応するＰＤＣＣＨサブフレームは、サブフレーム｛＃０、＃１、＃５、＃６｝を含むべきである。アップリンク／ダウンリンク衝突サブフレームがＵＬ伝送のみに用いられる場合、取得されたＰＤＣＣＨサブフレームカウント結果は、アップリンク／ダウンリンク衝突サブフレームを考慮しないカウント結果と同じである。しかし、アップリンク／ダウンリンク衝突サブフレームがＤＬ伝送に用いられることができる場合、対応するＰＤＣＣＨサブフレームは、サブフレーム｛＃０、＃１、＃３、＃４、＃５、＃６、＃８、＃９｝を含むべきである。
【０１０６】
方式三：ＰＤＣＣＨサブフレームが最も多い又は最も少ないｃｅｌｌ上のＰＤＣＣＨサブフレームに従ってカウントし、ＵＬ／ＤＬ衝突サブフレームを完全に考慮しない、又は、アップリンク／ダウンリンク衝突サブフレームが当該ｃｅｌｌにＤＬ伝送を行うことができると、当該サブフレームは、ＰＤＣＣＨサブフレームとしてカウントされてもよい。
また、ｄｒｘ−Ｒｅｔｒａｎｓｍｉｓｓｉｏｎ  Ｔｉｍｅｒに対して、その長さカウントは、次のような方式があってもよい。
【０１０７】
方式四：再送をトリガするｃｅｌｌ上のＰＤＣＣＨサブフレームに従ってカウントし、アップリンク／ダウンリンク衝突サブフレームを完全に考慮しないことができる、又は、アップリンク／ダウンリンク衝突サブフレームが当該ｃｅｌｌにＤＬ伝送を行うことができると、当該サブフレームは、ＰＤＣＣＨサブフレームとしてカウントされてもよい。
【０１０８】
実施形態２：利用可能サブフレームは、非競争ランダムアクセスプロセス中のＭｓｇ１の利用可能サブフレームである。
【０１０９】
ユーザ装置がまずＣｅｌｌ２に基地局とＲＲＣ接続を確立する（即ちＣｅｌｌ２がＰＣｅｌｌである）と仮定すると、ＵＬデータ伝送の需要ので、基地局は、ユーザ装置のためにＳＣｅｌｌ（即ちＣｅｌｌ１）を増加する必要があり、ＳＣｅｌｌとＰＣｅｌｌが同一のＴＡＧに存在しないので、基地局は、Ｃｅｌｌ２にＰＤＣＣＨコマンドを送信してＣｅｌｌ１上のランダムアクセスをトリガする必要があり、ＰＤＣＣＨ  ｏｒｄｅｒのＣｅｌｌ２上の受信時点は、ＳＦＮ（無線フレーム番号）＝Ｎ、サブフレーム番号ｎ＝８であると仮定すると、ユーザ装置は、次の２つの条件を満たすアップリンクサブフレームにＭｓｇ１を送信することができる。
【０１１０】
条件一：サブフレーム番号は、ｎ＋ｋ2を満たし、ここで、ｋ2≧６。
条件二：Ｍｓｇ１を送信するセルにおいて当該アップリンクサブフレームは、非アップリンク／ダウンリンク衝突サブフレーム又はアップリンク／ダウンリンク衝突サブフレームであるがアップリンク伝送を行うことができる。
【０１１１】
上記の条件に従って選択されたＭｓｇ１送信時点は、ＳＦＮ＝Ｎ＋１、サブフレーム番号ｎ＝４であるが、サブフレーム４がアップリンク／ダウンリンク衝突サブフレームであるので、アップリンク／ダウンリンク衝突サブフレームの送信方向に従って、優先的にＰＣｅｌｌに伝送する又は優先的にある方向に伝送する又は優先的に制御情報を伝送するようなポリシーを選択すると、このサブフレームがＣｅｌｌ１にＵＬ伝送を行うことができると、当該サブフレームをＭｓｇ１送信サブフレームとして選択することができ、即ち条件二を満たす。
【０１１２】
しかし、アップリンク／ダウンリンク衝突サブフレームの送信方向に従ってポリシーを選択すると、このサブフレームがＣｅｌｌ２にＤＬ伝送を行う必要がある場合、当該サブフレームは、Ｍｓｇ１を送信することに用いられることができなく、条件を満たす次のＵＬサブフレームに遅延する必要があり、即ちＣｅｌｌ上のＭｓｇ１送信時点は、ＳＦＮ＝Ｎ＋１、サブフレーム番号ｎ＝７であるべきである。
【０１１３】
実施形態３：利用可能サブフレームは、競争ランダムアクセスプロセス中のＭｓｇ３の利用可能サブフレームである。
【０１１４】
ユーザ装置がまずＣｅｌｌ２に基地局とＲＲＣ接続を確立する（即ちＣｅｌｌ２がＰＣｅｌｌである）と仮定すると、ＵＬデータ伝送の需要ので、基地局は、ユーザ装置のためにＳＣｅｌｌ（即ちＣｅｌｌ１）を増加する必要があり、ＳＣｅｌｌとＰＣｅｌｌが同一のＴＡＧに存在しないので、基地局は、Ｃｅｌｌ２にＰＤＣＣＨ  ｏｒｄｅｒを送信してＣｅｌｌ１上のランダムアクセスをトリガする必要があり、ユーザ装置がＣｅｌｌ１にＭｓｇ２を受信した時点は、ＳＦＮ＝Ｎ、サブフレーム番号ｎ＝０であると仮定する。
【０１１５】
状況一：ＵＬ  ｄｅｌａｙドメインが０に設定される場合、ユーザ装置は、次の２つの条件を満たす１つ目のアップリンクサブフレームにＭｓｇ３を送信することができる。
条件一：サブフレーム番号は、ｎ＋ｋ1（ｋ1≧６）を満たす。
条件二：Ｍｓｇ３を送信するセルにおいて当該アップリンクサブフレームは、非アップリンク／ダウンリンク衝突サブフレーム又はアップリンク／ダウンリンク衝突サブフレームであるがアップリンク伝送を行うことができる。
【０１１６】
条件一に従って選択されたＭｓｇ３送信時点は、ＳＦＮ＝Ｎ、サブフレーム番号ｎ＝７であるべきで、当該サブフレームがアップリンク／ダウンリンク衝突サブフレームではないので、Ｍｓｇ３を正常に送信することができる。
【０１１７】
状況二：ＵＬ  ｄｅｌａｙドメインが１に設定される場合、ユーザ装置は、次の２つ条件を満たす２つ目のアップリンクサブフレームにＭｓｇ３を送信することができる。
条件一：サブフレーム番号は、ｎ＋ｋ1（ｋ1≧６）を満たす。
条件二：Ｍｓｇ３を送信するセルにおいて当該アップリンク／ダウンリンク衝突サブフレームは、非アップリンク／ダウンリンク衝突サブフレームである又はアップリンク／ダウンリンク衝突サブフレームであるがアップリンク伝送を行うことができる。
条件一に従って選択されたＭｓｇ３送信時点は、ＳＦＮ＝Ｎ、サブフレーム番号ｎ＝８であるべきである。しかし、サブフレーム８がアップリンク／ダウンリンク衝突サブフレームであるので、アップリンク／ダウンリンク衝突サブフレームの送信方向に従ってポリシーを選択すると、このサブフレームがＣｅｌｌ１において上りリンクアップリンクＵＬ伝送を行うことができる場合、当該サブフレームをＭｓｇ１送信サブフレームとして選択することができ、即ち条件二を満たす。
【０１１８】
しかし、アップリンク／ダウンリンク衝突サブフレームの送信方向に従ってポリシーを選択すると、このサブフレームがＣｅｌｌ２にＤＬ伝送を行う必要がある場合、当該サブフレームがＭｓｇ１を送信することに用いられることができなく、次のサブフレームが条件二を満たすかどうかを判断する必要があり、満たせば、Ｃｅｌｌ１上のＭｓｇ１送信時点は、ＳＦＮ＝Ｎ、サブフレーム番号ｎ＝９である。サブフレーム９が依然として条件二を満たせないと、１つのＵＬサブフレームを遅延し続け、即ちＣｅｌｌ上のＭｓｇ１送信時点は、ＳＦＮ＝Ｎ、サブフレーム番号ｎ＝９である。
【０１１９】
実施形態４：Ｌ２測定の実施形態
Ｌ２測定量Ｔｏｔａｌ  ＰＲＢ  ｕｓａｇｅとＰＲＢ  ｕｓａｇｅ  ｐｅｒ  ｔｒａｆｆｉｃ  ｃｌａｓｓの測定に関して、時間Ｔ内の利用可能なＰＲＢの総数に対して、次の２つの方式があってもよく、ＤＬ  Ｔｏｔａｌ  ＰＲＢ  Ｕｓａｇｅで説明し、他の測定量とそのカウント方式は、類似する。
【０１２０】
ＤＬ  Ｔｏｔａｌ  ＰＲＢ  Ｕｓａｇｅ測定に対して、時間Ｔ内の、ＤＬ伝送に用いられることができるすべてのＰＲＢの個数の和をカウントする必要があり、当該ＰＲＢの個数の和は、次のようなカウント方式がある。
【０１２１】
方式一：時間Ｔ内のＣｅｌｌ１とＣｅｌｌ２に出現するＤＬサブフレームに含まれるＰＲＢの個数の和のみをカウントするが、アップリンク／ダウンリンク衝突サブフレームを考慮しない。
【０１２２】
方式二：時間Ｔ内のＣｅｌｌ１とＣｅｌｌ２に出現する非アップリンク／ダウンリンク衝突サブフレームのＤＬサブフレームに含まれるＰＲＢの個数の和をカウントし、その後アップリンク／ダウンリンク衝突サブフレームのうちのＤＬ伝送に用いられるＤＬサブフレーム上のＰＲＢの個数の和を加算する。
【０１２３】
ＵＥ側では、図７を参照すると、本発明の実施形態に係るデータ伝送装置は、ＵＥによりアグリゲイションされた複数のセルの時分割複信アップリンク／ダウンリンク構成が異なり、且つアップリンク／ダウンリンク衝突サブフレームにおいて一方向のデータ伝送のみを許可する場合、ＵＥがアップリンク／ダウンリンク衝突サブフレームの許可されるデータ伝送方向を確定することに用いられ、ここで、ＵＥによりアグリゲイションされた複数のセルの時分割複信アップリンク／ダウンリンク構成において、同一のアップリンク／ダウンリンク衝突サブフレームのデータ伝送方向が異なるデータ伝送方向確定ユニット１１と、ＵＥによりアグリゲイションされた各セルのアップリンクデータ伝送方向に用いられる利用可能サブフレームとダウンリンクデータ伝送方向に用いられる利用可能サブフレームをそれぞれ確定することに用いられ、ここで、前記許可されるデータ伝送方向と逆のデータ伝送方向でカウントされた利用可能サブフレームに、前記アップリンク／ダウンリンク衝突サブフレームが含まれない利用可能サブフレーム確定ユニット１２と、利用可能サブフレームにおいてデータ伝送を行うことに用いられる伝送ユニット１３とを備える。
【０１２４】
好ましくは、前記利用可能サブフレームがＰＤＣＣＨサブフレームである場合、前記利用可能サブフレーム確定ユニット１２は、ＵＥによりアグリゲイションされた各セル上の利用可能サブフレームが、当該セル内のＰＤＣＣＨ又は中継ノードＲＮ  Ｒ−ＰＤＣＣＨ又はＥ−ＰＤＣＣＨが含まれるすべてのダウンリンクサブフレーム又はＤｗＰＴＳサブフレーム、又は、当該セル内のＰＤＣＣＨ又はＲ−ＰＤＣＣＨ又はＥ−ＰＤＣＣＨが含まれるすべての非衝突サブフレーム、及びダウンリンク伝送を行うことができ且つＰＤＣＣＨ又はＲ−ＰＤＣＣＨ又はＥ−ＰＤＣＣＨを含むアップリンク／ダウンリンク衝突サブフレームを含むことを確定する。
【０１２５】
好ましくは、前記利用可能サブフレーム確定ユニット１２中のＰＤＣＣＨサブフレームを長さカウント単位とするＤＲＸタイマーの動作時間をカウントする場合、次の方式の一つを用いる。
【０１２６】
方式一：ＵＥによりアグリゲイションされたすべてのセルのアップリンク／ダウンリンク衝突サブフレームが含まれないＰＤＣＣＨサブフレームの和集合又は交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【０１２７】
方式二：ＵＥ  ＰＣｅｌｌ上のアップリンク／ダウンリンク衝突サブフレームが含まれないＰＤＣＣＨサブフレームに従ってカウントする、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【０１２８】
方式三：ＰＤＣＣＨサブフレームが最も多い又は最も少ないセル上のアップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【０１２９】
好ましくは、ＤＲＸタイマーが不連続受信−再送タイマーである場合、ＰＤＣＣＨサブフレームをカウントする方式は、さらに方式四を含む。
【０１３０】
方式四：再送をトリガするセル上のアップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【０１３１】
好ましくは、前記利用可能サブフレームが非競争ランダムアクセスプロセス中のＭｓｇ１の利用可能サブフレームである場合、前記利用可能サブフレーム確定ユニット１２は、次の２つの条件を満たす、利用可能なパケットランダムアクセスチャネルリソースがある１つ目のアップリンクサブフレームをＭｓｇ１の利用可能サブフレームとする。
【０１３２】
条件一：サブフレーム番号は、ｎ＋ｋ2である。
ここで、ｎは、ＵＥがＰＤＣＣＨコマンドを受信したサブフレーム番号を表し、ｋ2は、プリセット変数であり、且つｋ2≧６。
【０１３３】
条件二：ランダムアクセスプリアンブルを送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【０１３４】
好ましくは、前記利用可能サブフレームが競争ランダムアクセスプロセス中のＭｓｇ３の利用可能サブフレームである場合、アップリンク遅延ＵＬ  ｄｅｌａｙが０に設定されると、前記利用可能サブフレーム確定ユニット１２は、次の２つの条件を満たす１つ目のアップリンクサブフレームをＭｓｇ３の利用可能サブフレームとする。
【０１３５】
条件一：サブフレーム番号は、ｎ＋ｋ1である。
ここで、ｎは、ＵＥがランダムアクセス応答を受信したサブフレーム番号を表し、ｋ1は、プリセット変数であり、且つｋ1≧６。
【０１３６】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【０１３７】
好ましくは、前記利用可能サブフレームが競争ランダムアクセスプロセス中のＭｓｇ３の利用可能サブフレームである場合、アップリンク遅延ＵＬ  ｄｅｌａｙドメインが１であれば、前記利用可能サブフレーム確定ユニット１２は、次の２つの条件を満たす１つ目でない（２つ目の）アップリンクサブフレームをＭｓｇ３の利用可能サブフレームとする。
【０１３８】
条件一：サブフレーム番号は、ｎ＋ｋ1である。
ここで、ｎは、ＵＥがランダムアクセス応答を受信したサブフレーム番号を表し、ｋ1は、プリセット変数であり、且つｋ1≧６。
【０１３９】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【０１４０】
好ましくは、当該装置は、ＵＥが、アップリンク／ダウンリンク衝突サブフレームがアップリンク及びダウンリンク伝送を同時に行うことをサポートするかどうかの能力情報を能力報告情報により基地局に通知することに用いられる能力報告ユニット１４をさらに備える。
【０１４１】
好ましくは、当該装置は、ＵＥの能力又は基地局のシグナリング指示によって、前記装置を用いてデータ伝送を行う必要があることを確定することに用いられる伝送方式確定ユニット１５をさらに備える。
【０１４２】
好ましくは、当該装置は、ＵＥである。
基地局側では、図８を参照すると、本発明の実施形態に係るデータ伝送装置は、ＵＥによりアグリゲイションされた複数のセルの時分割複信アップリンク／ダウンリンク構成が異なり、且つアップリンク／ダウンリンク衝突サブフレームにおいて一方向のデータ伝送を許可する場合、基地局がアップリンク／ダウンリンク衝突サブフレームの許可されるデータ伝送方向を確定することに用いられ、ここで、ＵＥによりアグリゲイションされた複数のセルの時分割複信アップリンク／ダウンリンク構成において、同一のアップリンク／ダウンリンク衝突サブフレームのデータ伝送方向が異なるデータ伝送方向確定ユニット２１と、ＵＥによりアグリゲイションされた各セル上のアップリンクデータ伝送方向に用いられる利用可能サブフレームとダウンリンクデータ伝送方向に用いられる利用可能サブフレームをそれぞれ確定することに用いられ、ここで、前記許可されるデータ伝送方向と逆のデータ伝送方向でカウントされた利用可能サブフレームに、前記アップリンク／ダウンリンク衝突サブフレームが含まれない利用可能サブフレーム確定ユニット２２と、利用可能サブフレームにおいてデータ伝送を行うことに用いられる伝送ユニット２３とを備える。
【０１４３】
好ましくは、前記利用可能サブフレームがＰＤＣＣＨサブフレームである場合、前記利用可能サブフレーム確定ユニット２２は、ＵＥによりアグリゲイションされた各セル上の利用可能サブフレームが、当該セル内のＰＤＣＣＨ又はＲＮ  Ｒ−ＰＤＣＣＨ又はＥ−ＰＤＣＣＨが含まれるダウンリンクサブフレーム又はＤｗＰＴＳサブフレーム、又は、当該セル内のＰＤＣＣＨ又はＲ−ＰＤＣＣＨ又はＥ−ＰＤＣＣＨが含まれる非衝突サブフレーム、及びダウンリンク伝送を行うことができ且つＰＤＣＣＨ又はＲ−ＰＤＣＣＨ又はＥ−ＰＤＣＣＨを含むアップリンク／ダウンリンク衝突サブフレームを含むことを、確定する。
【０１４４】
好ましくは、前記利用可能サブフレーム確定ユニット２２中のＰＤＣＣＨサブフレームを長さカウント単位とするＤＲＸタイマーの動作時間をカウントする場合、次の方式を用いる。
【０１４５】
方式一：ＵＥによりアグリゲイションされたすべてのセルのアップリンク／ダウンリンク衝突サブフレームが含まれないＰＤＣＣＨサブフレームの和集合又は交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【０１４６】
方式二：ＵＥ  プライマリセルＰＣｅｌｌ上のアップリンク／ダウンリンク衝突サブフレームが含まれないＰＤＣＣＨサブフレームに従ってカウントする又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【０１４７】
方式三：ＰＤＣＣＨサブフレームが最も多い又は最も少ないセル上のアップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする。
【０１４８】
好ましくは、ＤＲＸタイマーがｄｒｘ−Ｒｅｔｒａｎｓｍｉｓｓｉｏｎ  Ｔｉｍｅｒである場合、ＰＤＣＣＨサブフレームをカウントする方式は、さらに方式四を含む。
【０１４９】
方式四：再送をトリガするセル上のアップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする。
【０１５０】
好ましくは、前記利用可能サブフレームが非競争ランダムアクセスプロセス中のＭｓｇ１の利用可能サブフレームである場合、前記利用可能サブフレーム確定ユニット２２は、次の２つの条件を満たす、利用可能なパケットランダムアクセスチャネルリソースがある１つ目のアップリンクサブフレームをＭｓｇ１の利用可能サブフレームとする。
【０１５１】
条件一：サブフレーム番号は、ｎ＋ｋ2である。
ここで、ｎは、ＵＥがＰＤＣＣＨコマンドを受信したサブフレーム番号を表し、ｋ2は、プリセット変数であり、且つｋ2≧６。
【０１５２】
条件二：ランダムアクセスプリアンブルを送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【０１５３】
好ましくは、前記利用可能サブフレームが競争ランダムアクセスプロセス中のＭｓｇ３の利用可能サブフレームである場合、アップリンク遅延ＵＬ  ｄｅｌａｙドメインが０であれば、前記利用可能サブフレーム確定ユニット２２は、次の２つの条件を満たす１つ目のアップリンクサブフレームをＭｓｇ３の利用可能サブフレームとする。
【０１５４】
条件一：サブフレーム番号は、ｎ＋ｋ1である。
ここで、ｎは、ＵＥがランダムアクセス応答を受信したサブフレーム番号を表し、ｋ1は、プリセット変数であり、且つｋ1≧６。
【０１５５】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【０１５６】
好ましくは、前記利用可能サブフレームが競争ランダムアクセスプロセス中のＭｓｇ３の利用可能サブフレームである場合、アップリンク遅延ＵＬ  ｄｅｌａｙドメインが１であれば、前記利用可能サブフレーム確定ユニット２２は、次の２つの条件を満たす２つ目のアップリンクサブフレームをＭｓｇ３の利用可能サブフレームとする。
【０１５７】
条件一：サブフレーム番号は、ｎ＋ｋ1である。
ここで、ｎは、ＵＥがランダムアクセス応答を受信するサブフレーム番号を表し、ｋ1は、プリセット変数であり、且つｋ1≧６。
【０１５８】
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームである。
【０１５９】
好ましくは、当該装置は、基地局が合計のＰＲＢ利用率と各トラフィッククラスのＰＲＢ利用率を測定する必要がある場合、次の方式の一つを用いて時間Ｔ内のすべての利用可能なＰＲＢを確定することに用いられるＰＲＢカウントユニット２４をさらに備える。
【０１６０】
方式一：時間Ｔ内のすべてのセルに出現する伝送方向がカウントされた伝送方向と同じであるサブフレームに含まれるＰＲＢの個数の和をカウントし、ここでリンク／ダウンリンク衝突サブフレームに含まれるＰＲＢを含めない。
【０１６１】
方式二：時間Ｔ内のすべてのセルに出現する伝送方向がカウントされた伝送方向と同じであるサブフレームに含まれるＰＲＢの個数の和をカウントし、ここで確定されたアップリンク／ダウンリンク衝突サブフレームの許可されるデータ伝送方向がカウントされた伝送方向と同じである場合、当該ＰＲＢの個数は、カウントされた伝送方向にデータ伝送を行うことができるセルの当該アップリンク／ダウンリンク衝突サブフレームでの対応するＰＲＢの個数を含む。
【０１６２】
好ましくは、当該装置は、ＵＥから報告されたＵＥの能力によって、当該装置を用いてデータ伝送を行う必要があることを確定することに用いられる能力確定ユニット２５をさらに備える。
【０１６３】
好ましくは、当該装置は、ＵＥの能力又は予め設定されたルールによって、ＵＥがアップリンク／ダウンリンク衝突サブフレームに並列伝送を行うことを許可する必要があるかどうかを判断し、そして判断結果をシグナリングによりＵＥに通知することに用いられる伝送方式通知ユニット２６をさらに備える。
【０１６４】
好ましくは、当該装置は、基地局である。
当業者は、本発明の実施形態が方法、システム、又はコンピュータプログラム製品として提供されることができる。そのため、本発明は、完全なハードウェアの実施形態、完全なソフトウェアの実施形態、又はソフトウェアとハードウェアを組み合わせた実施形態の形態を用いることができると理解すべきである。且つ、本発明は、コンピュータ使用可能プログラムコードが含まれる１つ以上のコンピュータ使用可能な記憶媒体（ディスクメモリと光メモリなどを含むがこれらに限られない）で実施されるコンピュータプログラム製品の形態を採用することができる。
【０１６５】
本発明は、本発明の実施形態による方法、装置（システム）とコンピュータプログラム製品のフローチャート及び／又はブロック図を参照して説明されるものである。コンピュータプログラム命令によりフローチャート及び／又はブロック図中の各プロセス及び／又はブロック、及びフローチャート及び／又はブロック中のプロセス及び／ブロックの組み合わせを実現することができると理解すべきである。これらのコンピュータプログラム命令を、汎用コンピュータ、専用コンピュータ、組み込みプロセッサ又は他のプログラム可能なデータ処理装置のプロセッサに提供して１つのマシンを生み出すことができ、コンピュータ又は他のプログラム可能なデータ処理装置のプロセッサが実行する命令により、フローチャートの１つ以上のプロセス及び／又はブロック図の１つ以上のブロック中に指定された機能を実現するための装置を生み出す。
【０１６６】
これらのコンピュータプログラム命令は、コンピュータ又は他のプログラム可能なデータ処理装置が特定の方式で動作するようにガイドできるコンピュータ読み取り可能なメモリに記憶されることができ、それによって当該コンピュータ読み取り可能なメモリに記憶された命令により、命令装置が含まれる製造品を生み出す。当該命令装置は、フローチャートの１つ以上のプロセス及び／ブロック図の１つ以上のブロック中に指定された機能を実現する。
【０１６７】
これらのコンピュータプログラム命令は、コンピュータ又は他のプログラム可能なデータ処理装置にロードされることもでき、コンピュータ又はプログラム可能なデータ処理装置で一連の操作ステップを実行して、コンピュータで実現される処理を生み、それによってコンピュータ又はプログラム可能なデータ処理装置で実行された命令により、フローチャートの１つ以上のプロセス及び／ブロック図の１つ以上のブロック中に指定された機能を実現するためのステップを提供する。
【０１６８】
明らかに、当業者は、本発明の実施形態の精神および範囲から逸脱することなく、本発明の実施形態に対して様々な変更及び修正を行うことができる。このようにして、本発明の実施形態のこれらの変更及び修正が本発明の特許請求及びその同等技術の範囲に含まれると、本発明もこれらの変更及び修正を含むことを意図する。
【０１６９】
本出願は、２０１１年１２月８日に中国特許庁に提出された特許出願番号２０１１１０４０６３９９．Ｘ、発明の名称「データ伝送方法及び装置」の優先権の利益を享受し、その全ての内容が本出願において援用される。
【誤訳訂正２】
【訂正対象書類名】特許請求の範囲
【訂正対象項目名】全文
【訂正方法】変更
【訂正の内容】
【特許請求の範囲】
【請求項１】
ユーザ装置によりアグリゲイションされた複数のセルの時分割複信アップリンク／ダウンリンク構成が異なり、且つアップリンク／ダウンリンク衝突サブフレームにおいて一方向のデータ伝送のみを許可する場合、ＵＥは、アップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なるステップと、
ＵＥは、アグリゲイションされた各セルのアップリンクデータ伝送方向に用いられる利用可能サブフレームとダウンリンクデータ伝送方向に用いられる利用可能サブフレームをそれぞれ確定し、ここで、前記許可されるデータ伝送方向と逆のデータ伝送方向でカウントされた利用可能サブフレームに、前記アップリンク／ダウンリンク衝突サブフレームが含まれないステップと、
ＵＥは、利用可能サブフレームにおいてデータ伝送を行うステップとを含むことを特徴とするデータ伝送方法。
【請求項２】
前記利用可能サブフレームは、ダウンリンク物理制御チャネル（ＰＤＣＣＨ）サブフレームであり、
前記ＵＥは、
アグリゲイションされた各セル上の利用可能サブフレームが、
当該セル内の、ＰＤＣＣＨ又は中継ノードＲＮ向け物理ダウンリンク制御チャネル（Ｒ−ＰＤＣＣＨ）又は拡張型物理ダウンリンク制御チャネルＥ−ＰＤＣＣＨが含まれるすべてのダウンリンクサブフレーム又はダウンリンクパイロットスロット（ＤｗＰＴＳ）サブフレームを含むか、又は、
当該セル内の、ＰＤＣＣＨ又はＲ−ＰＤＣＣＨ又はＥ−ＰＤＣＣＨが含まれるすべての非衝突サブフレーム、及びダウンリンク伝送を行うことができ且つＰＤＣＣＨ又はＲ−ＰＤＣＣＨ又はＥ−ＰＤＣＣＨを含む、アップリンク／ダウンリンク衝突サブフレームを含むことを
確定することを特徴とする請求項１に記載の方法。
【請求項３】
ＵＥによりアグリゲイションされたすべてのセルの、アップリンク／ダウンリンク衝突サブフレームが含まれないＰＤＣＣＨサブフレームの和集合と交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする方式一と、
ＵＥのプライマリセルＰＣｅｌｌ上の、アップリンク／ダウンリンク衝突サブフレームが含まれないＰＤＣＣＨサブフレームに従ってカウントするか、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする方式二と、
ＰＤＣＣＨサブフレームが最も多い又は最も少ないセル上の、アップリンク／ダウンリンク衝突サブフレームが含まれないＰＤＣＣＨサブフレームに従ってカウントするか、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントする方式三とのいずれか一つを用いて、ＰＤＣＣＨサブフレームを長さカウント単位とするＤＲＸタイマーの動作時間をカウントすることを特徴とする請求項２に記載の方法。
【請求項４】
ＤＲＸタイマーは、不連続受信−再送タイマー（ｄｒｘ−Ｒｅｔｒａｎｓｍｉｓｓｉｏｎ  Ｔｉｍｅｒ）であり、
ＰＤＣＣＨサブフレームをカウントする方式は、
再送をトリガするセル上の、アップリンク／ダウンリンク衝突サブフレームが含まれないＰＤＣＣＨサブフレームに従ってカウントするか、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントする方式四をさらに含むことを特徴とする請求項３に記載の方法。
【請求項５】
前記利用可能サブフレームが非競争ランダムアクセスプロセス中のＭｓｇ１の利用可能サブフレームである場合、次の２つの条件を満たす、利用可能なパケットランダムアクセスチャネルリソースがある１つ目のアップリンクサブフレームをＭｓｇ１の利用可能サブフレームとし、
条件一：
サブフレーム番号は、ｎ＋ｋ2であり、
ここで、ｎは、ＵＥがＰＤＣＣＨコマンドを受信したサブフレーム番号を表し、ｋ2は、プリセット変数であり、且つｋ2≧６であり、
条件二：
ランダムアクセスプリアンブルを送信するセルに、非アップリンク／ダウンリンク衝突サブフレームであるアップリンクサブフレームであるか、又は、アップリンク／ダウンリンク衝突サブフレームであるが当該セルにおいて当該アップリンク／ダウンリンク衝突サブフレームがアップリンク伝送を行うことができるサブフレームであり、
前記利用可能サブフレームが競争ランダムアクセスプロセス中のＭｓｇ３の利用可能サブフレームである場合、アップリンク遅延ＵＬ  ｄｅｌａｙドメインが０であれば、次の２つの条件を満たす１つ目のアップリンクサブフレームをＭｓｇ３の利用可能サブフレームとし、
条件一：サブフレーム番号は、ｎ＋ｋ1であり、
ここで、ｎは、ＵＥがランダムアクセス応答を受信したサブフレーム番号を表し、ｋ1は、プリセット変数であり、且つｋ1≧６であり、
条件二：
Ｍｓｇ３を送信するセルに、非アップリンク／ダウンリンク衝突サブフレームであるアップリンクサブフレームであるか、又は、アップリンク／ダウンリンク衝突サブフレームであるが当該セルにおいて当該アップリンク／ダウンリンク衝突サブフレームがアップリンク伝送を行うことができるサブフレームであり、
前記利用可能サブフレームが競争ランダムアクセスプロセス中のＭｓｇ３の利用可能サブフレームである場合、アップリンク遅延ＵＬ  ｄｅｌａｙドメインが１であれば、次の２つの条件を満たす２つ目のアップリンクサブフレームをＭｓｇ３の利用可能サブフレームとし、
条件一：サブフレーム番号は、ｎ＋ｋ1であること、
ここで、ｎは、ＵＥがランダムアクセス応答を受信したサブフレーム番号を表し、ｋ1は、プリセット変数であり、且つｋ1≧６であり、
条件二：Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームであることを特徴とする請求項１に記載の方法。
【請求項６】
ＵＥは、当該ＵＥがアップリンク／ダウンリンク衝突サブフレームにおいて上りリンクアップリンクとダウンリンクデータ伝送を同時に行うことをサポートするかどうかの能力情報を、能力報告情報により基地局に通知するステップをさらに含むことを特徴とする請求項１に記載の方法。
【請求項７】
ＵＥは、自身の能力又は基地局のシグナリング指示によって、請求項１に記載の方法を用いてデータ伝送を行う必要があることを確定するステップをさらに含むことを特徴とする請求項１に記載の方法。
【請求項８】
ＵＥによりアグリゲイションされた複数のセルの時分割複信アップリンク／ダウンリンク構成が異なり、且つアップリンク／ダウンリンク衝突サブフレームにおいて一方向のデータ伝送のみを許可する場合、基地局は、アップリンク／ダウンリンク衝突サブフレームの許可されるデータ伝送方向を確定し、ここで、ＵＥによりアグリゲイションされた複数のセルの時分割複信アップリンク／ダウンリンク構成において、同一のアップリンク／ダウンリンク衝突サブフレームのデータ伝送方向が異なるステップと、
基地局は、ＵＥによりアグリゲイションされた各セルのアップリンクデータ伝送方向に用いられる利用可能サブフレームとダウンリンクデータ伝送方向に用いられる利用可能サブフレームをそれぞれ確定し、ここで、前記許可されるデータ伝送方向と逆のデータ伝送方向でカウントされた利用可能サブフレームに、前記アップリンク／ダウンリンク衝突サブフレームが含まれないステップと、
基地局は、利用可能サブフレームにおいてデータ伝送を行うステップとを含むことを特徴とするデータ伝送方法。
【請求項９】
前記利用可能サブフレームは、ダウンリンク物理制御チャネル（ＰＤＣＣＨ）サブフレームであり、
前記基地局は、ＵＥによりアグリゲイションされた各セル上の利用可能サブフレームが、
当該セルのＰＤＣＣＨ又は中継ノードＲＮ向け物理ダウンリンク制御チャネル（Ｒ−ＰＤＣＣＨ）又は拡張型物理下り制御チャネルＥ−ＰＤＣＣＨが含まれるすべてのダウンリンクサブフレームを含むか、
ダウンリンクパイロットタイムスロット（ＤｗＰＴＳ）サブフレームを含むか、又は、当該セルのＰＤＣＣＨ又はＲ−ＰＤＣＣＨ又はＥ−ＰＤＣＣＨが含まれるすべての非衝突サブフレームと、ダウンリンク伝送を行うことができ且つＰＤＣＣＨ又はＲ−ＰＤＣＣＨ又はＥ−ＰＤＣＣＨを含むアップリンク／ダウンリンク衝突サブフレームとを含むことを確定することを特徴とする請求項８に記載の方法。
【請求項１０】
次の方式の一つを用いて、ＰＤＣＣＨサブフレームを長さ単位としてＤＲＸタイマーの動作時間をカウントし、
方式一：
ＵＥによりアグリゲイションされたすべてのセルの、アップリンク／ダウンリンク衝突サブフレームが含まれないＰＤＣＣＨサブフレームの和集合又は交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームをカウントし、
方式二：
ＵＥ  プライマリセルＰＣｅｌｌ上の、アップリンク／ダウンリンク衝突サブフレームが含まれないＰＤＣＣＨサブフレームに従ってカウントする、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントし、
方式三：ＰＤＣＣＨサブフレームが最も多い又は最も少ないセル上の、アップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントすることを特徴とする請求項９に記載の方法。
【請求項１１】
ＤＲＸタイマーが不連続受信−再送タイマー（ｄｒｘ−Ｒｅｔｒａｎｓｍｉｓｓｉｏｎ  Ｔｉｍｅｒ）であり、
ＰＤＣＣＨサブフレームをカウントする方式は、方式四をさらに含み、
方式四：
再送をトリガするセル上の、アップリンク／ダウンリンク衝突サブフレームが含まれないＰＤＣＣＨサブフレームに従ってカウントするか、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントすることを特徴とする請求項１０に記載の方法。
【請求項１２】
前記利用可能サブフレームが非競争ランダムアクセスプロセス中のＭｓｇ１の利用可能サブフレームである場合、基地局は、次の２つの条件を満たす、利用可能なパケットランダムアクセスチャネルリソースがある１つ目のアップリンクサブフレームをＭｓｇ１の利用可能サブフレームとし、
条件一：
サブフレーム番号は、ｎ＋ｋ2であり、
ここで、ｎは、ＵＥがＰＤＣＣＨコマンドを受信したサブフレーム番号を表し、ｋ2は、プリセット変数であり、且つｋ2≧６であり、
条件二：
ランダムアクセスプリアンブルを送信するセルに、非アップリンク／ダウンリンク衝突サブフレームである上りサブフレーム、又は、アップリンク／ダウンリンク衝突サブフレームであるが当該セルにおいて当該アップリンク／ダウンリンク衝突サブフレームがアップリンク伝送を行うことができるサブフレームであり、
前記利用可能サブフレームが競争ランダムアクセスアクセスプロセス中のＭｓｇ３の利用可能サブフレームである場合、アップリンク遅延ＵＬ  ｄｅｌａｙドメインが０であれば、基地局は、次の２つの条件を満たす１つ目のアップリンクサブフレームをＭｓｇ３の利用可能サブフレームとし、
条件一：サブフレーム番号は、ｎ＋ｋ1であり、
ここで、ｎは、ＵＥがランダムアクセス応答を受信したサブフレーム番号を表し、ｋ１は、プリセット変数であり、且つｋ１≧６であり、
条件二：
Ｍｓｇ３を送信するセルに、非アップリンク／ダウンリンク衝突サブフレームであるアップリンクサブフレームであるか、又は、アップリンク／ダウンリンク衝突サブフレームであるが当該セルにおいて当該アップリンク／ダウンリンク衝突サブフレームがアップリンク伝送を行うことができるサブフレームであり、
前記利用可能サブフレームが競争ランダムアクセスプロセス中のＭｓｇ３の利用可能サブフレームである場合、アップリンク遅延ＵＬ  ｄｅｌａｙドメインが１であれば、基地局は、次の２つの条件を満たす２つ目のアップリンクサブフレームをＭｓｇ３の利用可能サブフレームとし、
条件一：サブフレーム番号は、ｎ＋ｋ1であり、
ｎは、ＵＥがランダムアクセス応答を受信したサブフレーム番号を表し、ｋ１は、プリセット変数であり、且つｋ１≧６であり、
条件二：Ｍｓｇ３を送信するセルに、非アップリンク／ダウンリンク衝突サブフレームであるアップリンクサブフレームであるか、又は、アップリンク／ダウンリンク衝突サブフレームであるが当該セルにおいて当該アップリンク／ダウンリンク衝突サブフレームがアップリンク伝送を行うことができるサブフレームであることを特徴とする請求項８に記載の方法。
【請求項１３】
基地局は、合計の物理リソースブロックＰＲＢ利用率と各トラフィッククラスのＰＲＢ利用率を測定する必要がある場合、次の方式の一つを用いて時間Ｔ内のすべての利用可能なＰＲＢを確定し、
方式一：
時間Ｔ内のすべてのセルに出現する伝送方向がカウントされた伝送方向と同じであるサブフレームに含まれるＰＲＢの個数の和をカウントし、ここでアップリンク／ダウンリンク衝突サブフレームに含まれるＰＲＢを含めないこと、
方式二：
時間Ｔ内のすべてのセルに出現する伝送方向がカウントされた伝送方向と同じであるサブフレームに含まれるＰＲＢの個数の和をカウントし、ここで確定されたアップリンク／ダウンリンク衝突サブフレームの許可されるデータ伝送方向がカウントされた伝送方向と同じである場合、当該ＰＲＢの個数は、カウントされた伝送方向にデータ伝送を行うことができるセルの当該アップリンク／ダウンリンク衝突サブフレーム内での対応するＰＲＢ個数を含むことを特徴とする請求項８に記載の方法。
【請求項１４】
基地局は、ＵＥから報告されたＵＥの能力によって、請求項１０に記載の方法を用いてデータ伝送を行う必要があることを確定するステップをさらに含むことを特徴とする請求項８に記載の方法。
【請求項１５】
基地局は、ＵＥの能力又は予め設定されたルールによって、ＵＥがアップリンク／ダウンリンク衝突サブフレームに並列伝送を行うことを許可する必要があるかどうかを判断し、そして判断結果をシグナリングによりＵＥに通知するステップをさらに含むことを特徴とする請求項８に記載の方法。
【請求項１６】
ユーザ装置によりアグリゲイションされた複数のセルの時分割複信アップリンク／ダウンリンク構成が異なり、且つアップリンク／ダウンリンク衝突サブフレームにおいて一方向のデータ伝送のみを許可する場合、ＵＥがアップリンク／ダウンリンク衝突サブフレームの許可されるデータ伝送方向を確定することに用いられ、ここで、ＵＥによりアグリゲイションされた複数のセルの時分割複信アップリンク／ダウンリンク構成において、同一のアップリンク／ダウンリンク衝突サブフレームのデータ伝送方向が異なるデータ伝送方向確定ユニットと、
ＵＥによりアグリゲイションされた各セルのアップリンクデータ伝送方向に用いられる利用可能サブフレームとダウンリンクデータ伝送方向に用いられる利用可能サブフレームをそれぞれ確定することに用いられ、ここで、前記許可されるデータ伝送方向と逆のデータ伝送方向でカウントされた利用可能サブフレームに、前記アップリンク／ダウンリンク衝突サブフレームが含まれない利用可能サブフレーム確定ユニットと、
利用可能サブフレームにおいてデータ伝送を行うことに用いられる伝送ユニットとを備えることを特徴とするデータ伝送装置。
【請求項１７】
前記利用可能サブフレームがダウンリンク物理制御チャネル（ＰＤＣＣＨ）サブフレームである場合、前記利用可能サブフレーム確定ユニットは、具体的に、ＵＥによりアグリゲイションされた各セル上の利用可能サブフレームが当該セル内の、ＰＤＣＣＨ又は中継ノードＲＮ向け物理ダウンリンク制御チャネル（Ｒ−ＰＤＣＣＨ）又は拡張型物理ダウンリンク制御チャネルＥ−ＰＤＣＣＨが含まれるすべてのダウンリンクサブフレーム又はダウンリンクパイロットスロット（ＤｗＰＴＳ）サブフレーム、又は、
当該セル内の、ＰＤＣＣＨ又はＲ−ＰＤＣＣＨ又はＥ−ＰＤＣＣＨが含まれるすべての非衝突サブフレーム、及びダウンリンク伝送を行うことができ且つＰＤＣＣＨ又はＲ−ＰＤＣＣＨ又はＥ−ＰＤＣＣＨを含むアップリンク／ダウンリンク衝突サブフレームを含むことを確定することに用いられることを特徴とする請求項１６に記載の方法。
【請求項１８】
前記利用可能サブフレーム確定ユニットは、次の方式の一つを用いてＰＤＣＣＨサブフレームを長さカウント単位とするＤＲＸタイマーの動作時間をカウントし、
方式一：
ＵＥによりアグリゲイションされたすべてのセルの、アップリンク／ダウンリンク衝突サブフレームが含まれないＰＤＣＣＨサブフレームの和集合又は交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントし、
方式二：
ＵＥのプライマリセルＰＣｅｌｌ上の、アップリンク／ダウンリンク衝突サブフレームが含まれないＰＤＣＣＨサブフレームに従ってカウントする、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントし、
方式三：
ＰＤＣＣＨサブフレームが最も多い又は最も少ないセル上の、アップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントすることを特徴とする請求項１７に記載の装置。
【請求項１９】
ＤＲＸタイマーが不連続受信−再送タイマー（ｄｒｘ−Ｒｅｔｒａｎｓｍｉｓｓｉｏｎ  Ｔｉｍｅｒ）である場合、前記利用可能サブフレーム確定ユニットがＰＤＣＣＨサブフレームをカウントする方式は、さらに方式四を含み、
方式四：
再送をトリガするセル上の、アップリンク／ダウンリンク衝突サブフレームが含まれないＰＤＣＣＨサブフレームに従ってカウントするか、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントすることを特徴とする請求項１８に記載の装置。
【請求項２０】
前記利用可能サブフレームが非競争ランダムアクセスプロセス中のＭｓｇ１の利用可能サブフレームである場合、前記利用可能サブフレーム確定ユニットは、次の２つの条件を満たす、利用可能なパケットランダムアクセスチャネルリソースがある１つ目のアップリンクサブフレームをＭｓｇ１の利用可能サブフレームとし、
条件一：
サブフレーム番号は、ｎ＋ｋ2であり、
ここで、ｎは、ＵＥがＰＤＣＣＨコマンドを受信したサブフレーム番号を表し、ｋ2は、プリセット変数であり、且つｋ2≧６であり、
条件二：
ランダムアクセスプリアンブルを送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームであり、
前記利用可能サブフレームが競争ランダムアクセスプロセス中のＭｓｇ３の利用可能サブフレームである場合、アップリンク遅延ＵＬ  ｄｅｌａｙドメインが０であれば、前記利用可能サブフレームは、次の２つの条件を満たす１つ目のアップリンクサブフレームをＭｓｇ３の利用可能サブフレームとし、
条件一：
サブフレーム番号は、ｎ＋ｋ1であり、
ここで、ｎは、ＵＥがランダムアクセス応答を受信したサブフレーム番号を表し、ｋ1は、プリセット変数であり、且つｋ1≧６であり、
条件二：
Ｍｓｇ３を送信するセルに、非アップリンク／ダウンリンク衝突サブフレームであるアップリンクサブフレーム、又は、アップリンク／ダウンリンク衝突サブフレームであるが当該セルにおいて当該アップリンク／ダウンリンク衝突サブフレームがアップリンク伝送を行うことができるサブフレームであること、
前記利用可能サブフレームが競争ランダムアクセスプロセス中のＭｓｇ３の利用可能サブフレームである場合、アップリンク遅延ＵＬ  ｄｅｌａｙドメインが１であれば、前記利用可能サブフレーム確定ユニットは、次の２つの条件を満たす２つ目のアップリンクサブフレームをＭｓｇ３の利用可能サブフレームをとし、
条件一：
サブフレーム番号は、ｎ＋ｋ1であり、
ここで、ｎは、ＵＥがランダムアクセス応答を受信したサブフレーム番号を表し、ｋ1は、プリセット変数であり、且つｋ1≧６であり、
条件二：
Ｍｓｇ３を送信するセルに、非アップリンク／ダウンリンク衝突サブフレームであるアップリンクサブフレームであるか、又は、アップリンク／ダウンリンク衝突サブフレームであるが当該セルにおいて当該アップリンク／ダウンリンク衝突サブフレームがアップリンク伝送を行うことができるサブフレームであることを特徴とする請求項１６に記載の装置。
【請求項２１】
ＵＥがアップリンク／ダウンリンク衝突サブフレームにおいて上りリンクアップリンク及びダウンリンク伝送を同時に行うことをサポートするかどうかの能力情報を能力報告情報により基地局に通知することに用いられる能力報告ユニットをさらに備えることを特徴とする請求項１６に記載の装置。
【請求項２２】
ＵＥの能力又は基地局のシグナリング指示によって、請求項２０に記載の装置を用いてデータ伝送を行う必要があることを確定することに用いられる伝送方式確定ユニットをさらに備えることを特徴とする請求項１６に記載の装置。
【請求項２３】
ＵＥによりアグリゲイションされた複数のセルの時分割複信アップリンク／ダウンリンク構成が異なり、且つアップリンク／ダウンリンク衝突サブフレームにおいて一方向のデータ伝送を許可する場合、基地局がアップリンク／ダウンリンク衝突サブフレームの許可されるデータ伝送方向を確定することに用いられ、ここで、ＵＥによりアグリゲイションされた複数のセルの時分割複信アップリンク／ダウンリンク構成において、同一のアップリンク／ダウンリンク衝突サブフレームのデータ伝送方向が異なるデータ伝送方向確定ユニット２１と、
ＵＥによりアグリゲイションされた各セル上のアップリンクデータ伝送方向に用いられる利用可能サブフレームとダウンリンクデータ伝送方向に用いられる利用可能サブフレームをそれぞれ確定することに用いられ、ここで、前記許可されるデータ伝送方向と逆のデータ伝送方向でカウントされた利用可能サブフレームに、前記アップリンク／ダウンリンク衝突サブフレームが含まれない利用可能サブフレーム確定ユニット２２と、
利用可能サブフレームにおいてデータ伝送を行うことに用いられる伝送ユニットと、を備えることを特徴とするデータ伝送装置。
【請求項２４】
前記利用可能サブフレームがダウンリンク物理制御チャネル（ＰＤＣＣＨ）サブフレームである場合、前記利用可能サブフレーム確定ユニットは、具体的に、
ＵＥによりアグリゲイションされた各セル上の利用可能サブフレームが、
当該セルのＰＤＣＣＨ又は中継ノードＲＮ向け物理ダウンリンク制御チャネル（Ｒ−ＰＤＣＣＨ）又は拡張型物理ダウンリンク制御チャネルＥ−ＰＤＣＣＨが含まれるダウンリンクサブフレーム又はダウンリンクパイロットスロット（ＤｗＰＴＳ）サブフレームであるか、又は、
当該セルのＰＤＣＣＨ又はＲ−ＰＤＣＣＨ又はＥ−ＰＤＣＣＨが含まれる非衝突サブフレーム、及びダウンリンク伝送を行うことができ且つＰＤＣＣＨ又はＲ−ＰＤＣＣＨ又はＥ−ＰＤＣＣＨを含むアップリンク／ダウンリンク衝突サブフレームを含むことを、確定することに用いられることを特徴とする請求項２３に記載の装置。
【請求項２５】
前記利用可能サブフレーム確定ユニットは、次の方式の一つを用いてＰＤＣＣＨサブフレームを長さ単位としてＤＲＸタイマーの動作時間をカウントし、
方式一：
ＵＥによりアグリゲイションされたすべてのセルの、アップリンク／ダウンリンク衝突サブフレームが含まれないＰＤＣＣＨサブフレームの和集合又は交差集合に従ってカウントする、又は、アップリンク／ダウンリンク衝突サブフレームが当該セルにダウンリンクデータ伝送に用いられ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームをカウントし、
方式二：
ＵＥ  プライマリセルＰＣｅｌｌ上の、アップリンク／ダウンリンク衝突サブフレームが含まれないＰＤＣＣＨサブフレームに従ってカウントする、又は、アップリンク／ダウンリンク衝突サブフレームがＰＣｅｌｌにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントし、
方式三：
ＰＤＣＣＨサブフレームが最も多い又は最も少ないセル上の、アップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームを当該セルのＰＤＣＣＨサブフレームとしてカウントすることを特徴とする請求項２４に記載の装置。
【請求項２６】
ＤＲＸタイマーが不連続受信−再送タイマー（ｄｒｘ−Ｒｅｔｒａｎｓｍｉｓｓｉｏｎ  Ｔｉｍｅｒ）である場合、前記利用可能サブフレーム確定ユニットがＰＤＣＣＨサブフレームをカウントする方式は、方式四をさらに含み、
方式四：
再送をトリガするセルのアップリンク／ダウンリンク衝突サブフレームが含まれないＰＤＣＣＨサブフレームに従ってカウントする、又は、アップリンク／ダウンリンク衝突サブフレームが当該セルにダウンリンク伝送を行うことができ且つＰＤＣＣＨ又はＲ−ＰＤＣＣＨ又はＥ−ＰＤＣＣＨを含む場合、アップリンク／ダウンリンク衝突サブフレームをＰＤＣＣＨサブフレームとしてカウントすることを特徴とする請求項２５に記載の装置。
【請求項２７】
前記利用可能サブフレームが非競争ランダムアクセスプロセス中のＭｓｇ１の利用可能サブフレームである場合、前記利用可能サブフレーム確定ユニットは、次の２つの条件を満たす、利用可能なパケットランダムアクセスチャネルリソースがある１つ目のアップリンクサブフレームをＭｓｇ１の利用可能サブフレームとし、
条件一：
サブフレーム番号は、ｎ＋ｋ2であり、
ここで、ｎは、ＵＥがＰＤＣＣＨコマンドを受信したサブフレーム番号を表し、ｋ2は、プリセット変数であり、且つｋ2≧６であり、
条件二：
ランダムアクセスプリアンブルを送信するセルに、非アップリンク／ダウンリンク衝突サブフレームである上りサブフレームであるか、又は、アップリンク／ダウンリンク衝突サブフレームであるが当該セルにおいて当該アップリンク／ダウンリンク衝突サブフレームがアップリンク伝送を行うことができるサブフレームであり、
前記利用可能サブフレームが競争ランダムアクセスアクセスプロセス中のＭｓｇ３の利用可能サブフレームである場合、アップリンク遅延ＵＬ  ｄｅｌａｙドメインが０であれば、前記利用可能サブフレームは、次の２つの条件を満たす１つ目のアップリンクサブフレームをＭｓｇ３の利用可能サブフレームとし、
条件一：
サブフレーム番号は、ｎ＋ｋ1であり、
ここで、ｎは、ＵＥがランダムアクセス応答を受信したサブフレーム番号を表し、ｋ1は、プリセット変数であり、且つｋ1≧６であり、
条件二：
Ｍｓｇ３を送信するセルに、非アップリンク／ダウンリンク衝突サブフレームであるアップリンクサブフレームであるか、又は、アップリンク／ダウンリンク衝突サブフレームであるが当該セルにおいて当該アップリンク／ダウンリンク衝突サブフレームがアップリンク伝送を行うことができるサブフレームであることを特徴とする請求項２３に記載の装置。
【請求項２８】
基地局が合計の物理リソースブロックＰＲＢ利用率と各トラフィッククラスのＰＲＢ利用率を測定する必要がある場合、次の方式の一つを用いて時間Ｔ内のすべての利用可能なＰＲＢを確定することに用いられるＰＲＢカウントユニットをさらに備え、
方式一：
時間Ｔ内のすべてのセルに出現する伝送方向がカウントされた伝送方向と同じであるサブフレームに含まれるＰＲＢの個数の和をカウントし、ここでアップリンク／ダウンリンク衝突サブフレームに含まれるＰＲＢを含めないこと、
方式二：
時間Ｔ内の全てのセルに出現する伝送方向がカウントされた伝送方向と同じであるサブフレームに含まれるＰＲＢの個数の和をカウントし、ここで確定されたアップリンク／ダウンリンク衝突サブフレームの許可されるデータ伝送方向がカウントされた伝送方向と同じである場合、当該ＰＲＢの個数は、カウントされた伝送方向にデータ伝送を行うことができるセルの当該アップリンク／ダウンリンク衝突サブフレーム内での対応するＰＲＢ個数を含むことを特徴とする請求項２３に記載の装置。
【請求項２９】
ＵＥから報告されたＵＥの能力によって、請求項２３に記載の装置を用いてデータ伝送を行う必要があることを確定することに用いられる能力確定ユニットをさらに備えることを特徴とする請求項２３に記載の装置。
【請求項３０】
ＵＥの能力又は予め設定されたルールによって、ＵＥがアップリンク／ダウンリンク衝突サブフレームに並列伝送を行うことを許可する必要があるかどうかを判断し、そして判断結果をシグナリングによりＵＥに通知することに用いられる伝送方式通知ユニットをさらに備えることを特徴とする請求項２３に記載の装置。
【誤訳訂正３】
【訂正対象書類名】図面
【訂正対象項目名】図５
【訂正方法】変更
【訂正の内容】
【図５】
2015503290.tif 000002